(57)【要約】【課題】  在領域変化の傾向を捉え、安定的に、且つ、確実に在領域を判定し、室内を適正に制御する空気調和機を提供する。【解決手段】  空気吸込み口及び空気吹出し口を有する筐体と、前記筐体内に配置された熱交換器と、室内空気を前記空気吸込み口より吸込み、前記熱交換器を通してから前記空気吹出し口より吹出す送風ファンと、前記送風ファンの吹出し風路に設けた左右風向板と、上下風向板と、赤外線センサを有し、室内を複数の領域に区分して在室者の有無を推定する赤外線検知装置と、を備えた空気調和機において、人の在否と在領域を判定する判定区間に所定の複数の仮判定区間を定め、前記仮判定区間の赤外線センサの出力に応じて、前記仮判定区間毎に、人の在否と在領域を仮判定し、前記所定の複数の仮判定の結果に重み付けし、その重み付けされた結果を基に、人の在否と在領域を最終判定する。【選択図】図４１
2010091143.tif 000002
【特許請求の範囲】
【請求項１】
空気吸込み口及び空気吹出し口を有する筐体と、前記筐体内に配置された熱交換器と、室内空気を前記空気吸込み口より吸込み、前記熱交換器を通してから前記空気吹出し口より吹出す送風ファンと、前記送風ファンの吹出し風路に設けた左右風向板と、上下風向板と、赤外線センサを有し、室内を複数の領域に区分して在室者の有無を推定する赤外線検知装置と、を備えた空気調和機において、
人の在否と在領域を判定する判定区間に所定の複数の仮判定区間を定め、
前記仮判定区間の赤外線センサの出力に応じて、前記仮判定区間毎に、人の在否と在領域を仮判定し、前記所定の複数の仮判定の結果に重み付けし、その重み付けされた結果を基に、人の在否と在領域を最終判定することを特徴とする空気調和機。
【請求項２】
請求項１の空気調和機において、前記重み付けされた結果と前回の最終判定結果を基に、人の在否と在領域を最終判定することを特徴とする空気調和機。
【請求項３】
請求項１又は２の空気調和機において、前記複数の領域の数よりも少ない数の複数の前記赤外線センサを備え、前記領域は前記複数の赤外線センサの検知区域の和，排他和，差、又は積で区分される領域であることを特徴とする空気調和機。
【請求項４】
請求項２又は３の空気調和機において、前記複数の仮判定の結果に対する重み付けは時系列的に近い回ほど大きくし、前記前回の最終判定結果に対する重み付けは今回最初の仮判定結果に対する重み付けより大きく、今回最後の仮判定結果に対する重み付けより小さくすることを特徴とする空気調和機。
【請求項５】
請求項１乃至４の何れかの空気調和機において、前記複数の仮判定結果に対する重み付けを、前記仮判定区間を追う毎に所定値増加させることを特徴とする空気調和機。
【請求項６】
請求項１乃至５の何れかの空気調和機において、前記赤外線センサの出力に基づいてデジタル出力される活動パルスを一定の周期で読込んで、所定時間内の検出回数を計数し、この検出回数と、領域に応じて定めた活動量閾値と、の大小によって、前記在領域の人の活動量の大きさを段階的に区分し、前記検出回数に応じて、前記仮判定区間毎に、人の活動量の大きさの段階を仮判定し、前記所定の複数の仮判定結果を基に、今回の人の活動量の大きさの段階を最終判定することを特徴とする空気調和機。
【請求項７】
請求項６の空気調和機において、前記人の在否と在領域の最終判定結果と、前記在領域の人の活動量の大きさの段階の最終判定結果に応じて、圧縮機，冷媒回路制御装置，送風ファン，左右風向板，上下風向板または表示装置の少なくとも１つ以上を制御することを特徴とする空気調和機。
【請求項８】
請求項６又は７の空気調和機において、前記活動量閾値を変更可能に構成することを特徴とする空気調和機。
【発明の詳細な説明】
【技術分野】
【０００１】
本発明は赤外線センサを搭載した空気調和機にかかり、特に、人検知機能の向上に関する。
【背景技術】
【０００２】
空気調和機は室内空気を熱交換器に循環させて、加熱，冷却，除湿機能などにより調整し、これを室内に吹出すことにより室内を空気調和する。このとき、在室者の位置に空気調和された気流を送ることができれば、在室者が一々煩わしい操作しなくてすみ、在室者の満足度が高まると共に、在室者の周囲のみを快適にするので空気調和機の省エネを図ることができる。
【０００３】
そのひとつとして、空気調和機に赤外線センサを搭載し、在室者の位置を検知し、在室者の位置に応じて風向，風量，冷房暖房能力などを増減する方法が考えられ、これを具現化するために種々の工夫が凝らされている。この種の従来技術として、特許０２９２１２５６号公報，特公平０６−０２１６９９号公報，特開２００８−１０１８９３号公報，特公平０６−０５２１８０号公報，特開２００８−１０１８９３号公報が知られている。
【０００４】
特許文献１は人体の存在方向と空調機からの距離を検知する位置検知手段の出力から設定温度変更手段により設定温度を変更し、風向変更手段により送風方向を変更し、風速変更手段により送風速度を変更することを可能にした主制御手段より構成する。これにより、わずらわしく難しい設定操作を行わなくても人の動きに合わせて自動的にかつ快適な空調機の制御を行う空気調和機の制御装置及び人体検知センサ及び空気調和機について述べている。
【０００５】
特許文献２は従来装置のようにリモコン設定装置等を用いて煩わしい設定操作を行うことなく、室内における人の出入及び位置を直接的に検知し、自動的に風量，風向及び空気の吹出温度を制御して快適な空気調和を行うことができる。これにより、使用者は常にリモコン設定装置を手元に置いておかなければならず、このリモコン設定装置から使用者が離れた場合には、使用者にとっては意図しない制御が行われ、快適性が損なわれる等の問題点を解決する空気調和機について述べている。
【０００６】
特許文献３は空調すべき領域における人の位置に応じて複数の人体検知センサにより空調すべき領域を複数の領域に区分し、人がいる頻度に応じて各領域の領域特性を設定し、所定時間の人体検知センサの反応結果に応じて人の存在を示す判定条件を各領域特性に設定し、設定された判定条件に応じて各領域における人の在否を推定する。これにより、複数の人体検知センサを使用して空調すべき領域における人の位置を的確に推定して空調運転を効率よく行う人の位置推定方法及び該方法を採用した空気調和機について述べている。
【０００７】
特許文献４は人体検知装置から出力される人体の産熱量に応じた電圧値を有する信号を、選別手段によって電圧の範囲別に選別し、その出現値を計数手段によって上記電圧の範囲別に数え、得られた計数値に人体活動量算出手段によって上記電圧の範囲別に重みを付けて人体活動量を算出する。これにより、人体の動きの回数と動きの度合とに基づいて実際に即した人体活動量を算出することができるので、居住者が室内でどのように活動しても常に同等の体感温度が得られ、快適性が向上する人体活動量算出装置について述べている。
【０００８】
特許文献１３は空調すべき領域における人の位置に応じて複数の人体検知センサにより空調すべき領域を複数の領域に区分し、人がいる頻度に応じて各領域の領域特性を設定し、所定時間の人体検知センサの反応結果に応じて人の存在を示す判定条件を各領域特性に設定し、設定された判定条件に応じて各領域における人の在否を推定する。これにより、複数の人体検知センサを使用して空調すべき領域における人の位置を的確に推定して空調運転を効率よく行う人の位置推定方法及び該方法を採用した空気調和機について述べている。
【０００９】
【特許文献１】特許０２９２１２５６号公報
【特許文献２】特公平０６−０２１６９９号公報
【特許文献３】特開２００８−１０１８９３号公報
【特許文献４】特公平０６−０５２１８０号公報
【特許文献５】特開２００８−１０１８９３号公報
【発明の開示】
【発明が解決しようとする課題】
【００１０】
現在、家庭用の空気調和機は、環境への配慮が求められ、省資源，省エネを強く要求されるようになった。加えて、外観も重視され、特に使っていないときに室内の雰囲気を乱さない製品が求められている。
【００１１】
特許文献１では予測と実測のデータに重み付けして平均し、予備空調時の能力を設定する発明である。しかし、人の在否や在室者の位置の特定に関しては何らかのデータに重み付けする記述は無い。また、在室者の活動量についての言及は無い。
【００１２】
特許文献２では新入室者を検知し、所定時間空調空気を向ける発明であり、言わば、在室者の中で新入室者に大きな重みをつけていると言える。しかし、新入室者と既在室者をどのようにして区別するかの明確な方法は示されて無く、また、人の在否や在室者の位置の特定に関しては何らかのデータに重み付けする記述は無い。また、在室者の活動量についての言及は無い。
【００１３】
特許文献３では設定した領域特性に応じた判定条件で人の在否を認定しており、言わば、領域特性に応じて重みをつけているとも言える。しかし、前もって検知領域ごとに領域特性を設定しておかなければならず、据付け直後の試運転でこの機能を確認することができず、使用者に不安を与える。また、在否の判定条件も領域特性に設定しておかなければならないことから、制御ソフトの開発負担が大きく、開発費用が増大する。更に、在室者の活動量についての言及は無い。
【００１４】
特許文献４では在室者の活動量を重み付きの検知回数で把握しようとする試みで、検知回数に検知電圧の範囲に応じた重みをつけて計数し、在室者の活動量を算出する発明で有る。しかし、人の在否と在室者の位置の特定に関しては何らかのデータに重み付けする記述は無い。
【００１５】
特許文献５では設定した領域特性に応じた判定条件で人の在否を認定しており、言わば、領域特性に応じて重みをつけているとも言える。しかし、前もって検知領域ごとに領域特性を設定しておかなければならず、据付け直後の試運転でこの機能を確認することができず、使用者に不安を与える。また、在否の判定条件も領域特性に設定しておかなければならないことから、制御ソフトの開発負担が大きく、開発費用が増大する。更に、在室者の活動量についての言及は無い。
【００１６】
本発明の目的は、室内の雰囲気に溶け込んだ佇まいで、省資源に適いつつ、煩わしい操作なしに、在室者を快適にすることにある。
【００１７】
本発明が解決しようとする課題は、在領域変化の傾向を捉え、安定的に、且つ、確実に在領域を判定し、室内を適正に制御する空気調和機を提供することにある。
【課題を解決するための手段】
【００１８】
本発明が解決しようとする課題は、空気吸込み口及び空気吹出し口を有する筐体と、前記筐体内に配置された熱交換器と、室内空気を前記空気吸込み口より吸込み、前記熱交換器を通してから前記空気吹出し口より吹出す送風ファンと、前記送風ファンの吹出し風路に設けた左右風向板と、上下風向板と、赤外線センサを有し、室内を複数の領域に区分して在室者の有無を推定する赤外線検知装置と、を備えた空気調和機において、
人の在否と在領域を判定する判定区間に所定の複数の仮判定区間を定め、
前記仮判定区間の赤外線センサの出力に応じて、前記仮判定区間毎に、人の在否と在領域を仮判定し、前記所定の複数の仮判定の結果に重み付けし、その重み付けされた結果を基に、人の在否と在領域を最終判定することにより達成される。
【００１９】
請求項２に記載の空気調和機は請求項１の空気調和機において、前記重み付けされた結果と前回の最終判定結果を基に、人の在否と在領域を最終判定するものである。
【００２０】
請求項３に記載の空気調和機は請求項１又は２の空気調和機において、前記複数の領域の数よりも少ない数の複数の前記赤外線センサを備え、前記領域は前記複数の赤外線センサの検知区域の和，排他和，差、又は積で区分される領域であるものである。
【００２１】
請求項４に記載の空気調和機は請求項２又は３の空気調和機において、前記複数の仮判定の結果に対する重み付けは時系列的に近い回ほど大きくし、前記前回の最終判定結果に対する重み付けは今回最初の仮判定結果に対する重み付けより大きく、今回最後の仮判定結果に対する重み付けより小さくするものである。
【００２２】
請求項５に記載の空気調和機は請求項１乃至４の何れかの空気調和機において、前記複数の仮判定結果に対する重み付けを、前記仮判定区間を追う毎に所定値増加させるものである。
【００２３】
請求項６に記載の空気調和機は請求項１乃至５の何れかの空気調和機において、前記赤外線センサの出力に基づいてデジタル出力される活動パルスを一定の周期で読込んで、所定時間内の検出回数を計数し、この検出回数と、領域に応じて定めた活動量閾値と、の大小によって、前記在領域の人の活動量の大きさを段階的に区分し、前記検出回数に応じて、前記仮判定区間毎に、人の活動量の大きさの段階を仮判定し、前記所定の複数の仮判定結果を基に、今回の人の活動量の大きさの段階を最終判定するものである。
【００２４】
請求項７に記載の空気調和機は請求項６の空気調和機において、前記人の在否と在領域の最終判定結果と、前記在領域の人の活動量の大きさの段階の最終判定結果に応じて、圧縮機，冷媒回路制御装置，送風ファン，左右風向板，上下風向板または表示装置の少なくとも１つ以上を制御するものである。
【００２５】
請求項８に記載の空気調和機は請求項６又は７の空気調和機において、前記活動量閾値を変更可能に構成するものである。
【発明の効果】
【００２６】
請求項１によれば、在領域変化の傾向を捉え、安定的に、且つ、確実に在領域を判定し、室内を適正に制御する。
【００２７】
請求項２によれば、穏やかに変化する制御で、室内の快適性を維持し続ける。
【００２８】
請求項３によれば、在の仮判定レベルを超える信号を出力した赤外線センサの組合せに応じて在領域を適正に選定する。
【００２９】
請求項４によれば、在領域変化の傾向を確実に捉え、適切に在領域を判定し、室内を制御する。
【００３０】
請求項５によれば、在領域変化の傾向を適切に判定に反映させ、室内を適正に制御する。
【００３１】
請求項６によれば、在室者の活動量に応じて、空気調和機を制御し、快適性向上や、省エネ運転などを実現する。
【００３２】
請求項７によれば、在室者の活動量に応じて、空気調和機を制御し、快適運転や、省エネ運転を行う。
【００３３】
請求項８によれば、空気調和機の設置環境や使用者の意向に応じて制御の応答性を調節し、省エネ又は、満足感を高める。
【発明を実施するための最良の形態】
【００３４】
以下、本発明の実施例について図を用いて説明する。図における同一符号は同一物または相当物を示す。
【実施例１】
【００３５】
まず、空気調和機の全体構成について図１〜図４を用いて説明する。図１は実施例の空気調和機の構成図である。図２は空気調和機の室内機の断面図である。図３は空気調和機の室外機の断面図である。図４は空気調和機の冷媒回路図、（ａ）は冷房・除湿運転時の冷媒の流れ方向を示す図、（ｂ）は暖房運転時の冷媒の流れ方向を示す図である。
【００３６】
空気調和機１は、室内機２と室外機６とを接続配管８で繋ぎ、室内を空気調和する。室内機２は、筐体ベース２１の中央部に室内熱交換器３３を置き、熱交換器３３の下流側に熱交換器３３の幅と略等しい長さの横流ファン方式の室内送風ファン３１１を配置し、露受皿３５等を取り付け、これらを化粧枠２３で覆い、化粧枠２３の前面に前面パネル２５を取り付けている。この化粧枠２３には、室内空気を吸い込む空気吸込み口２７と、温湿度が調整された空気を吹出す空気吹出し口２９とが上下に設けられている。室内熱交換器３３の空気流下流には室内送風ファン３１１が設けられ、室内送風ファン３１１が回転すると室内空気が室内機２に設けられた空気吸込み口２７から室内熱交換器３３，室内送風ファン３１１を通って室内送風ファン３１１の長さに略等しい幅を持つ吹出し風路２９０に流れ、吹出し風路２９０途中に配した左右風向板２９５で気流の左右方向を偏向され、更に、吹出し口２９に配した上下風向板２９１，２９２で気流の上下方向を偏向されて室内に吹出す。
【００３７】
筐体ベース２１には、室内送風ファン３１１，フィルタ２３１，２３１′、室内熱交換器３３，露受皿３５，上下風向板２９１，２９２、左右風向板２９５等の基本的な内部構造体が取り付けられ、これらの基本的な内部構造体は、筐体ベース２１，化粧枠２３，前面パネル２５からなる筐体２０に内包され室内機２を構成する。
【００３８】
室外機６はベース６１に圧縮機７５，室外熱交換器７３などが搭載され、外箱６２に覆われ、室外送風機６３で外気を室外熱交換器７３に流し、内部を流れる冷媒と熱交換し、送風機カバー６３５を通って機外に吹出させる。
【００３９】
冷房・除湿運転時には図４（ａ）のように、冷媒を圧縮機７５，冷媒流路切換弁７２，室外熱交換器７３，冷暖房絞り装置７４，除湿加熱器３３２，除湿絞り装置３４，除湿冷却器３３３，冷媒流路切換弁７２の順に流して圧縮機７５に戻し、冷房・除湿運転にあわせて冷暖房絞り装置７４，除湿絞り装置３４を適宜に絞りまたは開放して冷媒を制御し、圧縮機７５，室外送風機６３，室内送風ファン３１１を適切な回転数で運転して周知の冷房・除湿運転を行う。
【００４０】
また、暖房運転時には図４（ｂ）のように、冷媒流路切換弁７２を切換えて、冷媒を逆向きに流し、同様に周知の暖房運転を行う。
【００４１】
また、前面パネル２５の下部一側には、運転状況を表示する表示装置３９７と、別体のリモコン５からの赤外線の操作信号を受ける受光部３９６とが配置されている。
【００４２】
化粧枠２３の下面に形成される空気吹出し口２９は、前面パネル２５との分割部に隣接して配置され、奥の吹出し風路２９０に連通している。２枚の上下風向板２９１，２９２は、閉鎖状態で、吹出し風路２９０をほぼ隠蔽して室内機２の底面に連続する大きな曲面を有するように構成されている。これらの上下風向板２９１，２９２は、両端部に設けた回動軸を支点にして、リモコン５からの指示に応じて、駆動モータにより空気調和機１の運転時に所要の角度回動して空気吹出し口２９を開き、その状態に保持する。空気調和機１の運転停止時には、これらの上下風向板２９１，２９２は空気吹出し口２９を閉じるように制御される。
【００４３】
左右風向板２９５は、下端部に設けた回動軸を支点にして駆動モータにより回動され、リモコン５からの指示に応じて回動されてその状態に保持される。これによって、吹出し空気が左右の所望の方向に吹出される。なお、リモコン５から指示することにより、空気調和機１の運転中に上下風向板２９１，２９２，左右風向板２９５を周期的に揺動させ、室内の広範囲に周期的に吹出し空気を送ることもできる。
【００４４】
可動パネル２５１は、下部に設けた回動軸を支点として駆動モータにより回動され、空気調和機１の運転時に前側空気吸込み部２３０′を開くように構成されている。これによって、室内空気は、運転時に前側空気吸込み部２３０′からも室内機２内に吸引される。空気調和機１の停止時には、前側空気吸込み部２３０′は閉じるように制御される。
【００４５】
室内機２は、内部の電装品ボックスに制御基板を備え、この制御基板にマイコンが設けられる。このマイコンは、室内温度センサ，室内湿度センサ等の各種のセンサからの信号を受けると共に、リモコン５からの操作信号を受光部３９６を介して受ける。このマイコンは、これらの信号に基づいて、室内送風ファン３１１，可動パネル駆動モータ，上下風向板駆動モータ，左右風向板駆動モータ等を制御すると共に、室外機６との通信を司り、室内機２を統括して制御する。
【００４６】
フィルタ２３１，２３１′は、吸い込まれた室内空気中に含まれる塵埃を取り除くためのものであり、室内熱交換器３３の吸込側を覆うように配置されている。露受皿３５は、室内熱交換器３３の前後両側の下端部下方に配置され、冷房運転時や除湿運転時に室内熱交換器３３に発生する凝縮水を受けるために設けられている。受けて集められた凝縮水はドレン配管３７を通して室外に排出される。
【００４７】
次に、上下風向板について図５，図６を用いて説明する。図５は室内機の冷房・除湿運転時の断面図である。図６は室内機の暖房運転時の断面図である。
【００４８】
上下風向板は前述のように上側上下風向板２９１，下側上下風向板２９２から構成される。本明細書では主に上側上下風向板２９１について述べるので、単に上下風向板と記した場合は上側上下風向板を表し、下側上下風向板について述べる時は下側上下風向板と記すこととする。
【００４９】
上下風向板２９１は空気吹出し口２９の上部の横幅いっぱいに設けられ、上下風向板駆動モータ（図示せず）により、吹出し空気を下吹出し、あるいは水平吹出しなどに偏向する。
【００５０】
空気調和機を使用しない運転停止時は図２のように、上側上下風向板２９１，下側上下風向板２９２，可動パネル２５１は制御装置により空気吹出し口２９を閉じるように制御される。これにより、上側上下風向板２９１は吹出し風路２９０の上方拡大部２９０ｅの前方の位置に回動し収納され、風路上方拡大部２９０ｅを遮蔽し、下側上下風向板２９２と協働して吹出し口２９を閉じる。
【００５１】
この風路上方拡大部２９０ｅのほぼ中央に後述する赤外線検知装置１４が設けられている。
【００５２】
このとき、上側上下風向板２９１は空気調和機の前面と底面の交差部に位置するため、外面となる外側風向面は滑らで曲率の大きい曲面にして空気調和機の外形に合致させる。このようにすることにより、上側上下風向板２９１、下側上下風向板２９２は外面となる風向面で空気調和機の前面から底面にかけての外形を連続的に滑らかに形成することができる。
【００５３】
このため、空気調和機を使用しないとき、空気調和機の目とも言うべき赤外線検知装置１４も上側上下風向板２９１によって目隠しされ、空気調和機の外観は不必要な凹凸の無い、柔らかな落ち着いた形状となり、室内の雰囲気を乱すことがない。
【００５４】
空気調和機を冷房運転する時には図５のように上側上下風向板２９１，下側上下風向板２９２は吹出し風路２９０の上壁２９０ａ，下壁２９０ｂと略平行な姿勢または水平な向きにして使用される。また、吹出された冷風が直接、在室者に当って不快感を生じさせる場合は、適宜、上下風向板２９１，２９２や左右風向板２９５の方向をリモコン５で変更し、在室者の周囲を快適な温湿度に保つ。
【００５５】
極弱い冷房または暖房運転を行う時に上側上下風向板２９１を図２０のようにやや上向きにし、下側上下風向板２９２を破線で示したようにほぼ閉じる姿勢にし、吹出し風路２９０の下流に設けた上方に拡大する上方拡大部２９０ｅに吹出し気流を流す。これにより、吹出し空気の一部が極弱い風となって上方拡大部２９０ｅを通ってふんわりと室内に拡散し、微弱な冷房または暖房を行う。
【００５６】
更に、上方拡大部２９０ｅを利用して、吹出した風をすぐさま、吸込み口２７から吸込ませるショートサーキット運転を行うことで、熱交換器の乾燥運転や空気調和機内部の脱臭運転などの空気調和機のメンテナンス動作を行わせることも可能となる。
【００５７】
空気調和機を暖房運転する時には、上下風向板２９１，２９２は図６のようにほぼ垂直に近い姿勢にして使用される。このようにすることにより、吹出し風路２９０を流れる温風は空気調和機から下方に向かって吹出し、床面近くまで到達し、足もと近くを暖め、室内を快適な環境にする。
【００５８】
次に、本発明の空気調和機が搭載している赤外線センサについて図７〜図１４を用いて説明する。図７は室内機の外観斜視図である。図８は室内機の上下風向板を開いた外観斜視図である。図９は室内機に内蔵された赤外線検知装置の構成図である。図１０は検知装置のフレネルレンズ配置図である。図１１は検知装置の検知範囲図である。図１２は検知装置の外観図、（ａ）は平面図、（ｂ）は正面図、（ｃ）は側面図、（ｄ）は取付状態側面図である。図１３は検知装置による検知区域図である。図１４は検知装置の回路構成図である。
【００５９】
一般に、空気調和機に人検知装置を取り付ける場合、その主たる目的は在室者が居ない時に空気調和機を省エネ運転または、停止し、在室者が少ない時には、その少ない人に向けて風を送るなどの専用運転をして省エネを図ると共に人の移動に伴う煩わしい操作を回避することである。
【００６０】
これを実現するため、焦電型の赤外線センサなどを使用した人検知センサを複数個つけて、室内を複数の領域に区分し、在室者が空気調和機から見てどの位置に居るかを検知するようにしている。この場合、人検知センサの検知区域の間に非検知領域ができないように、人検知センサの検知区域が互いに重なるように設置することが行われている。
【００６１】
このとき、唯一の人検知センサが反応した場合は、その人検知センサの検知区域に人が居ることが判るが、検知区域が重複する複数の赤外線センサが反応した時には、重複領域に集中して人が居る場合と、互いの排他的領域に人が分散して居る場合と、重複領域と片方の排他的領域に人が分散して居る場合と、重複領域と双方の排他的領域に人が分散して居る場合とが考えられ、これらの領域を区別するため、センサの数を増やすことや他の方式のセンサを取り付けて、互いの能力不足部分を補完することが行われている。
【００６２】
実施例では図８のように赤外線検知装置１４を前述の吹出し風路上方拡大部２９０ｅの長手方向の中央部に設け、運転停止時には図７のように上側上下風向板２９１で室内から遮蔽し、室内に違和感を与えないようにした。
【００６３】
赤外線検知装置１４は、図９に示すように赤外線センサ４１０を台座４１５を介して、基板４１６に搭載しフレネルレンズ４１７を被せ、これを左右に配して図１２のように構成する。
【００６４】
赤外線センサ４１０は平滑な受光面４１１を持ち、受光面４１１の対向する方向が主検知方向となり、受光面４１１の中心から主検知方向に向かう中心軸４１２は検知感度が最も良好な方向となり、その周りに検知感度の良好な検知範囲が広がる。
【００６５】
左右の赤外線センサ４１０ａ，ｃは各前記台座４１５により、中心軸４１２の方向が異なるように搭載され、当然その主検知方向も異なるため、図１１のように広角に検知範囲を構成でき、さらに赤外線検知装置１４を図１２（ｄ）のように俯角をもって実装することにより、室内床面の大半をその視野内に収めることができる。
【００６６】
フレネルレンズ４１７は図１０に示すように半球面を成す如く成型され、半球面は複数のセグメントに分割され、各セグメントには室内の特定の方向から来る赤外線を半球面の中心部に集めるように小フレネルレンズが形成されていて、この半球面の中心部に赤外線センサ４１０の受光面４１１が配置されるように構成されている。
【００６７】
この小フレネルレンズが赤外線を集光する方向を、座った時の顔の高さ付近の床と平行な面で示すと図１３のような検知スポットの分布になり、この範囲を人が移動していくつかの検知スポットを出入りすると赤外線センサ４１０がこれを検知する。実施例では、家庭の室内で使われることを想定し、赤外線センサ４１０から６ｍ離れた位置でのひとつの検知スポットの大きさが凡そ人体の大きさと同等（幅０.３〜０.５ｍ，高さ１.６〜１.８ｍ）になるように設定した。
【００６８】
実施例では赤外線センサ４１０として、焦電型の赤外線センサを用いる。赤外線検知装置１４は図１４に示すように左人検知センサ１４０ａと右人検知センサ１４０ｃと演算制御部１３２からなり、左右の人検知センサ１４０ａ，ｃは赤外線センサ４１０ａ，ｃ，赤外線センサ４１０ａ，ｃの出力を増幅する増幅器１３０，人の動きを抽出する帯域フィルタ，その出力をデジタル信号へと変換するコンパレータ１３１や前述の台座４１５，フレネルレンズ４１７などから構成されている。
【００６９】
一般に、人が覚醒している時には、生理的に静止し続けることはできず、数分の中で意識的にあるいは無意識のうちに手，脚，顔など体の一部を動かしている。
【００７０】
人検知センサ１４０ａ，ｃ内の赤外線センサ４１０ａ，ｃはこの動きを検知し、信号を出力する。赤外線センサ４１０ａ，ｃからの出力は人検知センサ１４０ａ，ｃで、演算制御部１３２での処理に適した形態に変換されて演算制御部１３２に読み込まれ、演算処理の結果に応じて、空気調和機の能力、風向などの制御が行われる。
【００７１】
上記のように、赤外線検知装置１４を構成すれば、前記焦電型赤外線センサ４１０ａ，ｃから環境や人体の存在，人体の活動に伴ったアナログ信号が出力され、前記増幅器１３０で増幅され、前記帯域フィルタで人の活動に主として含まれる１Ｈｚ近辺の信号が抽出され、前記コンパレータ１３１により、微小な信号やノイズを除去され、デジタル化された活動パルスに変換される。
【００７２】
活動パルスに変換された信号は前記演算制御部１３２の読み込みポートから前記演算制御部１３２入力され、演算処理される。その結果により、人体が存在すると判断した領域に対し、前記上下風向板２９１，２９２、左右風向板２９５を向け、或いは、避けて室内送風ファン３１１によって、調和された空気が送風される。
【００７３】
次に、室内の人の移動による赤外線センサ４１０からの信号の変化について図１５〜図１７を用いて説明する。図１５は室内に人が入室する時の動きを示す図である。図１６は図１５の場合の人検知センサの波形出力、（ａ）は左赤外線センサ出力のアナログ波形、（ｂ）は左人検知センサ出力のデジタル波形、（ｃ）は右赤外線センサ出力のアナログ波形、（ｄ）は右人検知センサ出力のデジタル波形である。図１７は人検知センサの検知領域区分図である。
【００７４】
図１５に示すように、室９０２に人９０７が位置Ｐから入室し、位置Ｑ，Ｒを経て位置Ｓまで移動したとき、人検知センサ１４０ａの赤外線センサ４１０ａは図１６（ａ）のようなアナログ信号を出力する。人検知センサ１４０ａはこのアナログ出力の絶対値が一定のレベルを越えた時に、活動パルス（実施例ではＨｉパルス）を出力するように、このアナログ出力を増幅器１３０，コンパレータ１３１などで処理して、図１６（ｂ）のようなデジタル波形に変換し演算制御部１３２に出力する。赤外線検知装置１４の演算制御部１３２内部でこのデジタル波形を一定周期で読込み、活動パルスが検出された回数を計数する。所定時間の間の検出回数が、人有りとする在閾値以上の時に、例えば位置Ｑ，Ｒに人が居る時に、演算制御部１３２は左人検知センサ１４０ａが人を検知した判断する。同様に赤外線センサ４１０ｃ，右人検知センサ１４０ｃも図１６（ｃ），（ｄ）のように信号を出力し、同様に、例えば位置Ｒ，Ｓに人が居る時に、演算制御部１３２は右人検知センサ１４０ｃが人を検知した判断する。
【００７５】
上記の説明では、説明を簡潔にするため、あたかも、人が移動する瞬間毎に人有りの判断が下されるように書いたが、実施例では前記所定時間を３０秒にしてあるので、入室と移動の間のほんの数秒の反応だけでは人有りの判断は下されなく、人が移動をやめてからの自然な動きを感知しての反応が大勢を決することになる。このように、前記所定時間を適切に選ぶことにより、単に通過するだけの時に、人有りと判断し、不要な制御をする恐れを大幅に減らすことができる。また、赤外線センサ４１０を２個使用することで、検知区域を左人検知センサ１４０ａだけが検知する領域、右人検知センサ１４０ｃだけが検知する領域、左右の人検知センサ１４０ａ，ｃが検知する領域の３つに区分することができる。
【００７６】
なお、実施例では活動パルスをＨｉパルスにしているが、逆に、室内に人が不在の時の人検知センサ１４０の出力をＨｉにし、人が活動したときの出力をＬｏにして、Ｌｏの活動パルスの検出回数を計数するようにしても良いのは勿論のことである。
【００７７】
赤外線検知装置１４を室内機２に取り付け、この検知区域を簡単のため、床面の高さまで下げて図１７のように表し、上述のように室内を左右の人検知センサ１４０ａ，ｃが単独で検知する検知領域６１０Ａ，Ｃ、左右の人検知センサ１４０ａ，ｃが重複して検知する検知領域６１０ＡＣに区分する。なお、説明を簡略にするため領域６１０Ａを（１）、領域６１０Ｃを（２）、領域６１０ＡＣを（３）と略記する場合もある。
【００７８】
左人検知センサ１４０ａのみが検知した場合は、検知領域６１０Ａに人体が存在し、右人検知センサ１４０ｃのみが検知した場合は、検知領域６１０Ｃに人体が存在し、左人検知センサ１４０ａと右人検知センサ１４０ｃの両方が検知した場合は、検知領域６１０ＡＣ又は検知領域６１０Ａと６１０Ｃと６１０ＡＣに人体が存在していると推定する。
【００７９】
ここで、領域の構成について図１８を用いて説明する。図１８は領域の説明図、（ａ）はＡとＣの和の領域、（ｂ）はＡとＣの排他和の領域、（ｃ）はＡからＣを除外した差の領域、（ｄ）はＣからＡを除外した差の領域、（ｅ）はＡとＣの積の領域である。
【００８０】
実施例では人検知センサ１４０の出力から人が居ると推定する領域を、左右の人検知センサ１４０ａ，ｃの検知区域の和，排他和，差、又は積で構成する。図１８（ａ）のように左人検知センサ１４０ａの検知区域Ａを記号Ａで、右人検知センサ１４０ｃの検知区域Ｃを記号Ｃで示すとき、区域Ａと区域Ｃの和を図１８（ａ）の斜線部、区域Ａと区域Ｃの排他和を図１８（ｂ）の斜線部、区域Ａと区域Ｃの差を図１８（ｃ）の斜線部、区域Ｃと区域Ａの差を図１８（ｄ）の斜線部、区域Ａと区域Ｃの積を図１８（ｅ）の斜線部と定義する。このような定義は群論から容易に類推でき、理解しやすい。
【００８１】
次に、上下風向板による垂直方向の室内領域の区分について図１９〜図２２を用いて説明する。図１９は上下風向板で検知領域を区分する説明図である。図２０は上下風向板による遠領域検知状態図である。図２１は上下風向板による中領域検知状態図である。図２２は上下風向板による近領域検知状態図である。
【００８２】
実施例では、前述の空気調和機の左右方向の室内の検知領域の区分に加えて、空気調和機の奥行き方向の室内についても上下風向板２９１を用いて検知領域を区分する。上側上下風向板２９１は前述のように、吹出し風路２９０の下流に設けた、上方に拡大する上方拡大部２９０ｅに吹出し気流を導く作用を有している。在室者の有無を検知するときに、この上側上下風向板２９１を、人検知センサ１４０の視野を部分的に遮るような位置に回動させて停める。上側上下風向板２９１を停止させる位置は図１９に示すごとく、上側上下風向板２９１の図象の先端に付けた符号ｉ，ｊ，ｋ，ｍの位置でこれらの位置を夫々上側上下風向板位置４９１ｉ，ｊ，ｋ，ｍのごとくに呼ぶ。
【００８３】
上側上下風向板位置４９１ｉでは人検知センサ１４０の全視野が上側上下風向板２９１に隠され、在室者の有無を検知することはできない。上側上下風向板位置４９１ｊでは人検知センサ１４０の視野のうち、検知範囲５９１ｊのみが検知可能であり、上側上下風向板位置４９１ｋでは検知範囲５９１ｋのみが検知可能となる。上側上下風向板位置４９１ｍでは検知範囲５９１ｍ＝全視野が検知可能となる。
【００８４】
上側上下風向板２９１を使用して在室者の位置を検知しようとする場合は、まず、図２０のように上側上下風向板２９１を上側上下風向板位置４９１ｊで停止させ、人検知センサ１４０で在室者の有無を検知する。このとき在室者が検知されると、在室者は検知範囲５９１ｊに居ることが判る。
【００８５】
次に、図２１のように上側上下風向板２９１を上側上下風向板位置４９１ｋで停止させ、人検知センサ１４０で在室者の有無を検知する。このとき在室者が検知されると、在室者は検知範囲５９１ｊを含む検知範囲５９１ｋに居ることが判る。更に、先の検知動作で検知範囲５９１ｊに人が検知されなかった場合は検知範囲５９１ｋから検知範囲５９１ｊを除外した範囲に人が居ると判る。
【００８６】
次に、図２２のように上側上下風向板２９１を上側上下風向板位置４９１ｍで停止させ、人検知センサ１４０で在室者の有無を検知する。このとき在室者が検知されると、在室者は検知範囲５９１ｋを含む検知範囲５９１ｍに居ることが判る。更に、先の検知動作で検知範囲５９１ｋに人が検知されなかった場合は検知範囲５９１ｍから検知範囲５９１ｋを除外した範囲に人が居ると判る。
【００８７】
次に、人検知センサ１４０で検知した在室者の有無から、奥行き方向の存在エリアを推定する方法について図２３〜図２５を用いて説明する。図２３は鉛直面で見た上下風向板による遠近方向の検知領域区分図である。図２４は上下風向板による床面の検知領域区分図である。図２５は左右の赤外線センサと上下風向板による検知領域区分図である。
【００８８】
前述の３つの検知動作によって得られた結果を、空気調和機から見て室内の奥行き方向の区分に対応させると、図２３のように、上側上下風向板２９１を上側上下風向板位置４９１ｊで停止させて在室者の有無を検知する場合は、人検知センサ１４０の視野が検知範囲５９１ｊに限られるので、検知領域６９１Ｊの在室者を検知することになる。
【００８９】
また、上側上下風向板２９１を上側上下風向板位置４９１ｋで停止させて在室者の有無を検知する場合は、人検知センサ１４０の視野が検知範囲５９１ｋに広がるので、検知領域６９１Ｊ，Ｋの在室者を検知することになる。
【００９０】
更に、上側上下風向板２９１を上側上下風向板位置４９１ｍで停止させて在室者の有無を検知する場合は、人検知センサ１４０の視野がまったく遮られず、検知範囲５９１ｍに広がるので、全ての検知領域６９１Ｊ，Ｋ，Ｍの在室者を検知することになる。
【００９１】
上記の検知領域を床面での広がりで見ると図２４のようになり、室内の奥行き方向に検知領域を区分することができる。
【００９２】
このように、前述の図１１に示した複数の人検知センサ１４０ａ，ｃを用いて室内を左右方向に区分し、上側上下風向板２９１を用いて室内を前後方向に区分することにより、図２５に示すように室内を前後左右に交差検知エリア７１０ＪＡ〜ＭＣの９領域に区分し、在室者の居る方向とその奥行き範囲を知ることができ、これを用いて、空気調和機を適切に制御することができる。
【００９３】
なお、上述の説明では説明を簡単にするため、検知領域の境界を検知範囲の境界が床面に達する位置に置いたが、実際に、人検知センサ１４０が検知しやすい人の顔，首筋の位置や、人が立上がっているのか、椅子に座っているのか、床に座っているのか，寝ているのかなどの違いにより、検知領域の境界線は厳密には求められない。しかし、大まかには人が室内の遠いところに居る，中位のところに居る，近くに居る、のような区分けは十分可能であり、空気調和機の空気調和範囲も目的とした場所を中心とした広がりを持つので前述のような区分けに応じた空気調和でも十分な効果を持つことができる。
【００９４】
次に、人の検知方法について図２６，図２７を用いて説明する。図２６は検知手順要部フローチャートである。図２７は入力信号カウントタイムチャートである。
【００９５】
実施例の空気調和機は室内に居る人の位置を推定し、その位置に応じた適切な空調が成されるよう、空気調和機を制御する。図２６は人の居る位置を判定するフローチャートであり、これを参照しながら人の居る位置を推定する方法に付いて以下説明する。
【００９６】
ステップＳ１において、赤外線検知装置１４で室内の人を検知する所定時間の検知区間に入り、前述のように人検知センサ１４０からの演算制御部１３２への入力信号を一定の周期で読込み、所定時間中の出力がＨｉである回数を数えて、活動パルスの検出回数を求める。実施例では図２７のように、１０ｍｓの周期で、３０秒間読込み、左人検知センサ１４０ａからの入力信号がＨｉの時に左人検知センサのＨｉ回数を１増加させる。なお、図中では左人検知センサ１４０ａ，右人検知センサ１４０ｃを左センサ，右センサと略記している。
【００９７】
同様に、右人検知センサ１４０ｃからの入力信号がＨｉの時に右人検知センサのＨｉ回数を１増加させ、所定時間が経過する直前の回数を各人検知センサの検出回数とする。なお、実施例では読込み周期を１０ｍｓにしているが、フレネルレンズの分解能や人の移動速度をどの位に想定するかによって、この周期の適正範囲は変化し、家庭の室内用として考えると、５０ｍｓ以下の周期であれば、室内での速い動きの検知にも支障は無い。また、読込み周期を１０ｍｓより短くしても、人の動きを検知する正確さは周期１０ｍｓの場合とほぼ同じで、人の動きの検知には支障は無いが、演算制御部１３２が取扱うデータの量が大量になり、周期を短くしても効果は無い。
【００９８】
次に、人の居る位置の特定方法について図２６，図２８〜図３２を用いて説明する。図２８は在領域仮判定法である。図２９は人検知センサの活動パルスの検出回数と在領域の対応図Ａ、（ａ）は不在の場合、（ｂ）は左の領域に人が居る場合、（ｃ）は右の領域に人が居る場合である。図３０は在領域の仮判定を示す表である。図３１は両方の人検知センサが在の場合の領域選択説明図、（ａ）は領域（３）に集中して人が居る場合、（ｂ）は領域（１）＋（２）＋（３）に分散して人が居る場合である。図３２は人検知センサの活動パルスの検出回数と在領域の対応図Ｂ、（ａ）は中央の領域に集中して人が居る場合、（ｂ）は全部の領域に分散して人が居る場合である。
【００９９】
図２６のステップＳ２において、上記の各人検知センサ１４０の活動パルスの検出回数を図２８のように在閾値と比較し、左人検知センサ１４０ａの活動パルスの検出回数が在閾値以上の時に、左人検知センサ１４０ａが人を検知したと認定し、右人検知センサ１４０ｃの活動パルスの検出回数が在閾値以上の時に、右人検知センサ１４０ｃが人を検知したと認定する。
【０１００】
このとき、図２９（ａ）のように左右の人検知センサ１４０ａ，ｃの活動パルスの検出回数が共に在閾値未満である時は室内に人は不在であると認定する。また、図２９（ｂ）のように左人検知センサ１４０ａの活動パルスの検出回数が在閾値以上で、右人検知センサ１４０ｃの活動パルスの検出回数が在閾値未満である時は人が居る在領域を領域６１０Ａとする。また、図２９（ｃ）のように左人検知センサ１４０ａの活動パルスの検出回数が在閾値未満で、右人検知センサ１４０ｃの活動パルスの検出回数が在閾値以上である時は人が居る在領域を領域６１０Ｃとする。
【０１０１】
また、左右の人検知センサ１４０ａ，ｃの活動パルスの検出回数が在閾値以上である場合は、
（ｉ）中央の領域６１０ＡＣに人が居る
（ii）領域６１０Ａと領域６１０Ｃに人が居る
（iii）領域６１０Ａと領域６１０ＡＣに人が居る
（iv）領域６１０ＡＣと領域６１０Ｃに人が居る
（ｖ）領域６１０Ａと領域６１０ＡＣと領域６１０Ｃに人が居る
の５つの場合が考えられる。これを空気調和機を制御する観点から纏めると、（ｉ）のように中央の領域６１０ＡＣに集中して人が居て、狭い領域をスポット的に空気調和すれば良い場合と、（ii）（iii）（iv）（ｖ）のように広く室内に分散して人が居て、室内全体を広範に空気調和する必要がある場合とに分けられる。以下、これらを（ｉ）中央の領域６１０ＡＣに人が居る場合と、（ｖ）領域６１０Ａと領域６１０ＡＣと領域６１０Ｃに分散して人が居る場合とで代表する。
【０１０２】
上述の関係を纏めると図３０のようになり、左右の人検知センサ１４０ａ，ｃが共に人を検知した場合については２通りの領域が人の在領域候補として浮上してくる。
【０１０３】
次に、上記の２通りの在領域候補から、在領域を選別する方法について述べる。領域６１０ＡＣに人が居る場合は、同一人の動きを、左右の人検知センサ１４０ａ，ｃが検知するので、左右の人検知センサ１４０ａ，ｃは図３１（ａ）のようにほぼ同じ反応を示し、活動パルスの検出回数もほぼ同じ検出回数になるので、左右の人検知センサ１４０ａ，ｃの活動パルスの検出回数の差が所定の差（ｓ）未満のときは図３２（ａ）のように人が居る在領域を領域６１０ＡＣとする。
【０１０４】
また、領域６１０Ａと領域６１０ＡＣと領域６１０Ｃに分散して人が居る場合は、左右の人検知センサ１４０ａ，ｃが人を検知するが、人の動きの量や時刻は、個人々で異なるため、複数の別々の人の動きを検知した結果は当然のことながら違ってきて、活動パルスの検出回数の差は大きくなる。従って、活動パルスの検出回数の差が前述の所定の差（ｓ）以上のときは図３２（ｂ）のように人が居る在領域を領域６１０Ａと領域６１０ＡＣと領域６１０Ｃとする。
【０１０５】
このとき、単純な活動パルスの検出回数差以外に、例えば片方の人検知センサ１４０の活動パルスしか検出していない回数が所定未満であった場合は（ａ）中央の領域６１０ＡＣに人が居るとし、所定以上であった場合は（ｂ）領域６１０Ａと領域６１０ＡＣと領域６１０Ｃに人が居るとしても良い。
【０１０６】
このように、所定時間の検知区間の、左右の人検知センサ１４０ａ，ｃの出力を一定周期で読込み、Ｈｉの時の回数を数えて、活動パルスの検出回数を求め、検出回数に応じて、人の在否と在領域を定める。
【０１０７】
この結果、人の在否と在領域を図２９（ａ）の不在，図２９（ｂ）の領域（１），図２９（ｃ）の領域（２），図３２（ａ）の領域（３），図３２（ｂ）の領域（１）＋（２）＋（３）の５通りに区分することができる。
【０１０８】
この場合、（１），（２），（３）は単位領域であり、（１）＋（２）＋（３）は複数の単位領域の組合せ（１）＋（２），（１）＋（３），（２）＋（３），（１）＋（２）＋（３）を代表した領域である。
【０１０９】
次に、最終的な在領域の判定方法の概略について図３３を用いて説明する。図３３は２段階推定法説明図である。
【０１１０】
上述した検知区間の開始から、次の検知区間の開始までの区間を仮判定区間と言い、この検知区間で求めた人の在否と在領域を仮判定結果と言う。この仮判定区間を所定の回数繰返し、それらの仮判定結果に応じて、最終判定を行う。つまり、図３３のように、仮判定区間の中にこれより短い所定時間の検知区間が有り、検知区間での検知結果から仮判定を行い、所定回数の仮判定結果から最終判定を行う。
【０１１１】
このため、最終判定の結果はこれらの所定回数の仮判定区間を含んだ長い時間間隔の検知結果を反映したものとなり、人の移動傾向を長い時間で捉えて、確実に人の居る位置を求め、この最終判定結果に応じて空気調和機を制御する。
【０１１２】
これは、空気調和機で室内の快適性を維持する場合、頻繁に空気調和機の状態を変えると、制御が安定せず、在室者を不快にさせることが多いので、人の居る場所が変わった場合は、その変化を捉えて、自然な感じで新しい居場所を中心とした空気調和に移るようにし、制御が頻繁に変わらないよう、安定させるためである。
【０１１３】
次に、在室者の活動量の検知について図２６，図３４，図３５を用いて説明する。図３４は活動量の大きさの段階の仮判定法、（ａ）は人が（１）又は（２）に居る場合、（ｂ）は人が（３）に居る場合、（ｃ）は人が（１）＋（２）に居る場合である。図３５は活動量の大きさの段階の仮判定結果、（ａ）は人が単一の領域に居る場合、（ｂ）は人が複数の領域に居る場合又は不在の場合である。
【０１１４】
図２６のステップＳ２では、前述の人の在否と在領域の仮判定結果の他に、室内の人の活動量の大きさの段階を求める。室内の人の活動量の大きさの段階は小，中，大の３段階に区分し、凡そ、次のように定めると良い。
活動量の大きさの段階「大」：人が（１）＋（２）＋（３）に分散して、←広範囲で人が
存在し、反応が大きい。                  動いている。
活動量の大きさの段階「中」：人が（１）＋（２）＋（３）に分散して、←広範囲で人が
存在し、反応が少ない。                  ほどほどに動
いている。
又は、
人が（１），（２）または（３）に      ←狭範囲で人が
存在して、反応が多い。                  動いている。
活動量の大きさの段階「小」：人が（１），（２）または（３）に      ←狭範囲で人が
存在して、反応が少ない。                ほどほどに
動いている。
【０１１５】
活動量の大きさの段階を３段階にしたのは、家庭用の空気調和機では凡その建築構造と、広さに応じて在室者の人数も考慮して、所要の冷房・暖房能力を簡便に求めるようにしているので、広範囲で数人が動いている活動量の大きさの段階大の状態が空気調和機の定格能力にほぼ見合って居る。一方、活動量が小さい場合に省エネ運転するニーズがあるが、このために設定温度を上下させる範囲は快適性が失われないように最大で２℃程度迄である。これらのことから、活動量の段階を多く区分しても設定温度の変化が細分化されるだけで省エネの効果に大きな差は生じない。このため制御を複雑にしないように活動量の大きさの段階は３段階程度に区分するのが現実的である。
【０１１６】
室内の人の活動量の大きさの段階を上記のように区分するため、前述の在領域の仮判定結果と活動パルスの検出回数に応じて図３４に従って図３５のように区分する。
【０１１７】
図３４（ａ）は在領域が（１）又は（２）の場合で、左右の人検知センサ１４０ａ，ｃのどちらの活動パルスの検出回数も活動量閾値１未満である場合は活動量の大きさの段階を「小」とし、活動量閾値１以上である場合は活動量の大きさの段階を「中」とする。
【０１１８】
図３４（ｂ）は在領域が（３）の場合で、左右の人検知センサ１４０ａ，ｃの活動パルスの検出回数の平均が活動量閾値１未満である場合は活動量の大きさの段階を「小」とし、活動量閾値１以上である場合は活動量の大きさの段階を「中」とする。
【０１１９】
図３４（ｃ）は在領域が（１）＋（２）＋（３）の場合で、左右の人検知センサ１４０ａ，ｃの活動パルスの検出回数の合計が活動量閾値２未満である場合は活動量の大きさの段階を「中」とし、活動量閾値２以上である場合は活動量の大きさの段階を「大」とする。尚、人が不在の場合は最も低い活動量の大きさの段階とし、活動量の大きさの段階は「小」とする。
【０１２０】
上記を纏めると人の在否と在領域と、左右の人検知センサ１４０ａ，ｃの活動パルスの検出回数に応じて、在領域が（１），（２）または（３）の場合は図３５（ａ）のように仮判定結果が求められ、また、在領域が（１）＋（２）＋（３）又は不在の場合は図３５（ｂ）のように仮判定結果が求められる。
【０１２１】
次に、１回の仮検知で人が居ることが明らかな場合について図２６，図３６、図３７を用いて説明する。図３６は即決判定法、（ａ）は人が単一の領域に居る場合、（ｂ）は人が複数の領域に居る場合である。図３７は即決判定結果纏め図、（ａ）は人が単一の領域に居る場合、（ｂ）は人が複数の領域に居る場合又は不在の場合である。
【０１２２】
図２６のステップＳ３では、仮判定区間での活動パルスの検出回数が即決条件に合致するか否か判定する。即決条件は人の居る領域が一回の仮判定結果から確実に明らかであるための条件であり、前述の人の在否と在領域の仮判定結果と、活動パルスの検出回数に応じて図３６に従って図３７のように判定する。
【０１２３】
図３６（ａ）は在領域が（１），（２）又は（３）の場合で、左右の人検知センサ１４０ａ，ｃのどちらかの活動パルスの検出回数が在閾値より大きい即決閾値１を超える場合は即決条件成立とし、即決閾値１未満である場合は即決条件不成立とする。
【０１２４】
図３６（ｂ）は在領域が（１）＋（２）＋（３）の場合で、左右の人検知センサ１４０ａ，ｃの活動パルスの検出回数の合計が即決閾値１より更に大きい即決閾値２を超える場合は即決条件成立とし、即決閾値２未満である場合は即決条件不成立とする。
【０１２５】
上記を纏めると在領域と左右の人検知センサ１４０ａ，ｃの活動パルスの検出回数に応じて、在領域が（１）、（２）または（３）の場合は図３７（ａ）のように即決条件に合致するか否かが求められ、また、在領域が（１）＋（２）＋（３）の場合は図３７（ｂ）のように即決条件に合致するか否かが求められ、不在の場合は即決条件不成立とする。
【０１２６】
即決条件成立の場合はステップＳ７に進み、即決条件不成立の場合はステップＳ４に進む。
【０１２７】
ステップＳ４では、所定回数であるＮ回（実施例の場合Ｎ＝４）の仮判定が実行されたか否か判定する。仮判定の実行回数が所定回数未満である場合はステップＳ１に戻り、次回の仮判定区間に入り、再度、人の在否と在領域の仮判定を実行する。
【０１２８】
ステップＳ４で仮判定の実行回数が所定回数に達した場合は仮判定を終了し、最終判定を行うべくステップＳ５に進み、Ｎ回の仮判定結果が全て不在であったか否か判定する。
【０１２９】
ステップＳ５でＮ回の仮判定結果が全て不在であった場合は、ステップＳ６に進み、室内が引続き不在になる可能性が大きいとし、設定温度を大きく変化させ、省エネを一段と強化した後述する不在省エネ運転制御を行い、ステップＳ１に戻り、次回の判定区間に入り、初回の仮判定区間における検知動作を実行する。
【０１３０】
ステップＳ５で在領域の仮判定結果が１回以上ある場合はステップＳ８に進み、Ｎ回の仮判定結果と前回の最終判定結果から今回の人の在否と在領域及び活動量の大きさの段階の最終判定を行い、ステップＳ９に進む。
【０１３１】
ステップＳ３で即決条件が成立した場合は、ステップＳ７で即決条件が成立した仮判定区間の仮判定結果を最終判定結果として採用し、ステップＳ９に進む。
【０１３２】
ステップＳ９において、前述したように、上側上下風向板２９１を赤外線センサ４１０の遮蔽板として利用した室内の奥行き方向の領域区分での人検知を行い、ステップＳ１０に進む。
【０１３３】
ステップＳ１０において、後述するように、在領域の履歴を更新し、上述の最終判定結果、奥行き方向の人検知結果、在領域の履歴などに応じて空気調和機を制御し、ステップＳ１に戻り、次回の判定区間に入り、初回の仮判定区間における検知動作を実行する。
【０１３４】
以上のステップについて図３８を用いて簡略に説明する。図３８は繰返し制御説明図である。
【０１３５】
図３８のように、人の位置の最終判定は普段は一定の時間を持つ判定区間毎に行われ、空気調和機の制御は最終判定の度に更新又は維持される。
【０１３６】
この判定区間の中に所定の複数（Ｎ：実施例ではＮ＝４）の仮判定区間が有り、各仮判定区間では、仮判定区間より短い所定時間の検知区間の間、人検知センサ１４０の出力を読込み、読込んだデータを処理して前述の仮判定を行う。
【０１３７】
仮判定は各仮判定区間毎に行われ、各仮判定の結果と前回の最終判定結果に応じて、今回の人の居る位置を最終判定する。
【０１３８】
また、仮判定の基となる仮判定区間中の人検知センサ１４０の出力が普段より大きい場合は、図３８に点線矢印で示したように、以降の仮判定区間を省略し、即決最終判定として、その仮判定区間の仮判定結果を採用し、最終判定結果とする。
【０１３９】
なお、制御の対象となる機器としては空気調和機に内蔵される圧縮機，冷媒回路制御装置，送風ファン，左右風向板，上下風向板，表示装置等のほか、換気装置，空気清浄装置，脱臭装置，静電霧化装置，陰イオン発生装置，加湿装置，酸素富化装置，侵入検知装置など多様な機器があり、人の在否に応じて機器の運転／停止，能力の変更，暖房／冷房／除湿の切換え，吹出し空気の方向変更，侵入者を検知した場合の威嚇／警報／通報などを行うことができる。
【０１４０】
次に最終判定の方法について図３９〜図４１を用いて説明する。図３９は在領域判定例、（ｂ）は在領域重み付け係数である。図４０は活動量の大きさの段階判定例である。図４１は在領域・活動量の大きさの段階判定結果の例である。
【０１４１】
図３９において、○印は各仮判定区間で仮判定された在領域であり、（  ）内はその在領域に与えられた重み付けポイントである。
【０１４２】
実施例の空気調和機の人の在否と在領域の区分は前述のように不在，（１），（２），（３），（１）＋（２）＋（３）の５通りであり、各仮判定毎に仮判定結果の区分（在領域とされた領域又は不在の区分）に重み付けしたポイントを与える。図３９の例では、１回目の仮判定結果の領域（１）にα１のポイントを与え、２回目の仮判定結果の領域（３）にα２、３回目の仮判定結果の領域（１）にα３、４回目の仮判定結果の領域（１）＋（２）にα４、５回目の仮判定結果の領域（１）にα５，…，Ｎ回目の仮判定結果の領域（１）にαＮのポイントを与えている。また、前回の最終判定結果の領域（１）にβのポイントを与えている。
【０１４３】
所定のＮ回の仮判定区間を終了すると人の在否と在領域の区分毎に与えられたポイントの積算が行われ、与えられたポイントの合計が最大（この例では３０点）である領域（１）が今回の在領域であると最終判定される。
【０１４４】
このとき、各仮判定で与えられるポイントを、図３９（ｂ）のように、回を追うごとに所定値だけ増加するポイントにすると最新の仮判定結果が重視され、空気調和機の制御が合理的に為される。
【０１４５】
図４０において、○印は各仮判定区間で在領域が最終判定された在領域（この例では（１））と同じであった時の活動量の大きさの段階であり、（  ）内はその活動量の大きさの段階に与えられた重み付けポイントである。
【０１４６】
次に、上述の最終判定結果の在領域である領域（１）での活動量の大きさの段階を判定する。活動量の大きさの段階は前述のように３段階に区分され、在領域の各仮判定結果が領域（１）である仮判定時の活動量の大きさの段階に重み付けしたポイントを与える。図４０の例では、在領域の仮判定結果が領域（１）である１回目，３回目，５回目，…，Ｎ回目の活動量の大きさの段階の区分にポイントを与える。１回目は活動量の大きさの段階「小」にγ１、３回目は同じく活動量の大きさの段階「小」にγ３、５回目は活動量の大きさの段階「中」にγ５，…，Ｎ回目は活動量の大きさの段階「小」にγＮのポイントを与えている。活動量の大きさの段階の区分毎に与えられたポイントの合計を算出し、与えられたポイントの合計が最大（この例では２７点）である活動量の大きさの段階「小」が今回の活動量の大きさの段階であると最終判定される。
【０１４７】
このとき、各仮判定で与えられるポイントに、在領域の仮判定時と同様に、回を追うごとに所定値だけ増加するポイントにすると同様に、最新の仮判定結果が重視され、空気調和機の制御が合理的に為される。
【０１４８】
図４１において、○印は各仮判定区間で仮判定された在領域であり、「中」，「小」の文字は仮判定時の活動量の大きさの段階であり、点数は重み付けのポイントである。
【０１４９】
図４１はＮ＝４とし、仮判定毎に１点ずつポイントを増加するようにした場合（α１＝γ１＝１，α２＝γ２＝２，…）の、人の在否と在領域の最終判定と活動量の大きさの段階の最終判定の例である。在領域は領域（１）が前回ポイントで２点、仮判定区間１で１点、仮判定区間４で４点の計７点で最大となり、領域（１）に最終判定される。
【０１５０】
活動量の大きさの段階は仮判定区間４の活動量の大きさの段階「中」の４点が領域（１）の中で最大となり、活動量の大きさの段階「中」に最終判定される。
【０１５１】
この時、人の在否と在領域の前回の最終判定結果に与えるポイントを今回の仮判定結果に与えるポイントの中間に設定（実施例ではβ＝２）すると制御が円滑になって都合が良い。
【０１５２】
このように、実施例の空気調和機は、空気吸込み口及び空気吹出し口を有する筐体と、前記筐体内に配置された熱交換器と、室内空気を前記空気吸込み口より吸込み、前記熱交換器を通してから前記空気吹出し口より吹出す送風ファンと、前記送風ファンの吹出し風路に設けた左右風向板と、上下風向板と、赤外線センサを有し、室内を複数の領域に区分して在室者の有無を推定する赤外線検知装置と、を備え、
人の在否と在領域を判定する判定区間に所定の複数の仮判定区間を定め、
前記仮判定区間の赤外線センサの出力に応じて、前記仮判定区間毎に、人の在否と在領域を仮判定し、前記所定の複数の仮判定の結果に重み付けし、その重み付けされた結果を基に、人の在否と在領域を最終判定する。
【０１５３】
これにより、赤外線センサの出力に基づく人検知センサのデジタル出力信号に応じて在領域を最終判定して、在領域に応じて室内を空気調和する。このとき、判定区間を長く取って、室内の長期的な変化を検知するので、短期的な変化に惑されての誤動作が無くなる。また、判定区間を複数の仮判定区間に分け、仮判定区間毎に室内の状況を把握するので、室内の情報を満遍なく捉えることで、情報の偏りが無く、情報を正確に捉えることができる。
【０１５４】
また、仮判定区間ごとの仮判定結果に時系列的な重みをつけて、人の居る領域を最終判定するので、現在、人の居る場所の傾向を確実の捉えることができると共に、前回の最終判定から今回の最終判定までの間に少なくとも一回の仮判定区間が設けられているので、空気調和機の制御が間をおいて穏やかに変わり、在室者を不快にすることが無い。
【０１５５】
このように、確実な判定ができる十分な判定区間と、室内の快適性を損なわない、穏やかな変化を確保できる制御間隔とが両立すると共に、人の移動の傾向も確実に捉えるようにしたので、人の新しい居場所を中心とした空気調和運転に自然な感じで移ることができる。
【０１５６】
このため、在領域変化の傾向を捉え、安定的に、且つ、確実に在領域を判定し、室内を適正に制御する空気調和機を提供することができる。
【０１５７】
また、実施例の空気調和機は、前記重み付けされた結果と前回の最終判定結果を基に、人の在否と在領域を最終判定する。
【０１５８】
これにより、各仮判定区間毎の仮判定結果に加えて、前回の最終判定結果も考慮して今回の最終判定を行うので、確実な判定と、前回の制御からの急変が回避された穏やかに変化する制御で、室内では安定した空調が行われ続け、室内の快適性が維持される。
【０１５９】
このため、穏やかに変化する制御で、室内の快適性を維持し続ける空気調和機を提供することができる。
【０１６０】
また、実施例の空気調和機は、前記複数の領域の数よりも少ない数の複数の前記赤外線センサを備え、前記領域は前記複数の赤外線センサの検知区域の和，排他和，差、又は積で区分される領域である。
【０１６１】
これにより、各領域が１又は複数の人検知センサの視野（検知区域）に捉えられ、各領域の人の動きに反応して、その領域の境界の形成に関係する検知区域を持つ赤外線センサの出力が変化する。このように、人の動きに反応して赤外線センサの出力が変化し、この赤外線センサの出力の変化を捉えて、各人検知センサから活動中を示すパルスが出力されるので、この活動パルスの検出回数を求め、解析することで、室内の人の在否と在領域を決めることができる。
【０１６２】
この時、図１７の（１）又は、（２）に人が居る場合は、唯一の赤外線センサが反応するので、その赤外線センサの検知区域から他の赤外線センサの検知区域を除外した領域である（１）又は、（２）が人の居る領域となる。
【０１６３】
図１７の（３）の重複領域に人が居る場合は、同一人の動きを、両方の赤外線センサが検知するので、赤外線センサはほぼ同じ反応を示し、両方の人検知センサが出力する活動パルスの検出回数もほぼ同じとなるので、両人検知センサの活動パルスの検出回数の差が所定の差未満のときは（３）に人が居ると判定できる。
【０１６４】
図１７の（１）と（３），（１）と（２），（２）と（３）又は、（１）と（２）と（３）に人が居る場合は、両方の赤外線センサが検知するが、人の動きの量は、個人々で異なるため、複数の別々の人の動きを検知した結果は当然のことながら違ってきて、両方の人検知センサが出力する活動パルスの検出回数の差は大きくなる。従って、両人検知センサの活動パルスの検出回数の差が前述の所定の差以上のときは（１）＋（２）＋（３）に人が居ると判定する。
【０１６５】
また、この人の不在と存在を区別する検出回数を適切に定めて在閾値とすることで、各領域での在不在を区別することができる。
【０１６６】
このため、在の仮判定レベルを超える信号を出力した赤外線センサの組合せに応じて在領域を適正に選定する空気調和機を提供することができる。
【０１６７】
また、実施例の空気調和機は、前記複数の仮判定の結果に対する重み付けは時系列的に近い回ほど大きくし、前記前回の最終判定結果に対する重み付けは今回最初の仮判定結果に対する重み付けより大きく、今回最後の仮判定結果に対する重み付けより小さくする。
【０１６８】
これにより、現在から一番近い仮判定結果が最も重視され、単純に人が移動し、新しい場所に居続ける場合は、今回か次回の判定で新しい場所が在領域と判定され、新しい場所を中心とした空気調和運転が行われる。しかし、一時的に新しい場所に移動したが、直ぐにもとの場所に戻ったような場合は、元の場所での前回の最終判定結果や、複数の仮判定結果が積算されて、元の場所に優位な最終判定を与えるので、元の場所を中心とした空調運転が継続される。
【０１６９】
このため、在領域変化の傾向を確実に捉え、適切に在領域を判定し、室内を制御する空気調和機を提供することができる。
【０１７０】
また、実施例の空気調和機は、前記複数の仮判定結果に対する重み付けを、前記仮判定区間を追う毎に所定値増加させる。
【０１７１】
これにより、製品の開発中の検討時点で、所定値を変更したことによる、様々な場面における影響を推測しやすくなり、開発期間を短縮できる。また、製品の特殊な使用場面で、この一台だけの所定値を変更する必要に迫られた時に、変更の影響を予測しやすいので、好都合である。
【０１７２】
このため、在領域変化の傾向を適切に判定に反映させ、室内を適正に制御する空気調和機を提供することができる。
【０１７３】
また、実施例の空気調和機は、前記赤外線センサの出力に基づいてデジタル出力される活動パルスを一定の周期で読込んで、所定時間内の検出回数を計数し、この検出回数と、領域に応じて定めた活動量閾値と、の大小によって、前記在領域の人の活動量の大きさを段階的に区分し、前記検出回数に応じて、前記仮判定区間毎に、人の活動量の大きさの段階を仮判定し、前記所定の複数の仮判定結果を基に、今回の人の活動量の大きさの段階を最終判定する。
【０１７４】
これにより、活動量の大小に応じて空気調和機の能力を加減することで、省エネ運転をすることができる。また、確実な判定と、人の活動量の大きさの段階に穏やかに応じた制御で、室内の快適性を維持する。
【０１７５】
このため、在室者の活動量に応じて、空気調和機を制御し、快適性向上や、省エネ運転などを実現する空気調和機を提供することができる。
【０１７６】
また、実施例の空気調和機は、前記人の在否と在領域の最終判定結果と、前記在領域の人の活動量の大きさの段階の最終判定結果に応じて、圧縮機，冷媒回路制御装置，送風ファン，左右風向板，上下風向板または表示装置の少なくとも１つ以上を制御する。
【０１７７】
これにより、在室者の活動量の大小に応じて冷房・暖房などの能力を加減したり、除湿の湿度設定を変更したり、在室者が居ない状態が所定時間続いた時に、温度設定を省エネとなるように変更したり、更に不在が続いた時に空気調和機を停止したり、在領域を重点的にスポット空調したり、在領域を避けて送風したり、空調の能力をアップしたり、送風の強さを加減したりと言った空気調和機を普通に使う上で行われる制御を人の手を煩わすことなく行うことができ、また、これらの運転状態の変化に応じて自動的に表示を変更して報せるなど、操作性、利便性に優れた空気調和機になる。
【０１７８】
このため、在室者の活動量に応じて、空気調和機を制御し、快適運転や、省エネ運転を行う空気調和機を提供することができる。
【０１７９】
次に、図２６ステップＳ９の遠中近の判定について図１９，図２２，図４２，図４３を用いて説明する。図４２は遠中近判定法である。図４３は室内機の冷房・除湿運転時の上下風向板部拡大断面図である。
【０１８０】
前述した各仮判定区間中の検知区間では室内全体の在室状況を検知するため、上側上下風向板２９１の位置を空気調和機から近い位置〜遠い位置までを見渡せるように、人検知センサ１４０から遠ざけて、図１９の上側上下風向板位置４９１ｍである近い位置に置いて検知範囲５９１ｍの人の在否を検知する。
【０１８１】
ステップＳ９では、更に、上側上下風向板２９１の位置を図１９の上側上下風向板位置４９１ｊ，４９１ｋである遠い位置，中間の位置に置いて検知範囲５９１ｊ，５９１ｋの人の在否を検知する。
【０１８２】
ステップＳ８で、最終判定結果が不在となった場合は、遠い位置、中間の位置での検知動作を省略する。これは、近い位置〜遠い位置までの範囲に人が居ないと言うことであり、奥行き方向の検知動作をしても無駄であるからである。
【０１８３】
ステップＳ８で、室内に人が居ると判定された場合は、上側上下風向板２９１を遠い位置に回動して検知動作を行う。遠い位置での検知動作で人を検知した場合は、遠方に人が居ると判断して、次の中間の位置での検知動作を省略する。
【０１８４】
これは、空気調和機は室内を空調するもので、遠方に人が居る場合は、この遠方の人が満足するように空調するには、遠方まで風が届くように空調する必要が有り、これにより、中間や近くに居る人もほぼ不満の無い空調になるので、中間や近くに人が居ても居なくても同じ制御になり、次の中間の位置での検知動作を省略できるためである。
【０１８５】
遠い位置での検知動作で人を検知しなかった場合は、中間の位置での検知動作を行う。中間の位置での検知動作で人が検知された場合は、中間に人が居ると判断し、中間の位置での検知動作で人を検知しなかった場合は、近くに人が居ると判断する。
【０１８６】
上記の最終判断を簡潔に記述すると図４２に示すようになり、上側上下風向板２９１の遠い位置で人を検知した場合は人が遠い位置に居ると判断し、遠い位置で人を検知せず、中間の位置で人を検知した場合は人が中間の位置に居ると判断し、遠い位置でも中間の位置でも人を検知しなかった場合は人が近い位置に居ると判断する。
【０１８７】
人が居る位置の遠い〜近いの最終判断に応じて、室内送風ファン３１１や上下風向板２９１，２９２などを適切な強さ、方向に制御する。
【０１８８】
なお、冷房・除湿運転時は上側上下風向板２９１を図４３のように吹出し風路２９０の上壁２９０ａや下壁２９０ｂと略平行にするのが一般的である。この場合、人の検知動作中は上側上下風向板２９１を図２２のように下げる必要が有り、上下風向が変化する。実施例では、この影響を少なくするため、仮判定区間の長さ５分に対して検知区間の長さ（＝所定時間）を３０秒と短くした。３０秒と言う短時間では空気調和機の冷凍サイクルはその保有している熱容量のため、大きな変化は見せず、室内への冷房・除湿能力の変化も大きくない。また、外気との熱平衡によって定まる室内温度への影響も小さく、近年増加している能力可変型の空気調和機の場合は冷房・除湿能力が熱負荷に応じて補償されるので、室内温度への影響は無く、快適性が保たれる。
【０１８９】
他方、上下風向はこの間、乱されるので、在室者に若干の影響を与えるが、時間が短いことから、一般に行われる自動風向板の揺動制御と同等以下の軽い変化であり、快適性を阻害することは無い。また、仮判定区間の中の検知区間以外の時間は上側上下風向板２９１に対する位置の制約は無いので、任意の方向に向けたり、自動的に揺動させたりすることもでき、利便性を損なうことが無い。
【０１９０】
次に、ステップＳ１０の過去在領域履歴について図４４を用いて説明する。図４４は過去の在領域履歴の判定法、（ａ）は蓄積された過去データの例、（ｂ）は人の居る領域の順位の例である。
【０１９１】
ステップＳ１０では、最新の複数回の在領域の最終判定結果を蓄積し、在領域を蓄積回数で順位付けする。これは、図４４（ａ）のように、在領域の最終判定結果が出される度に、過去の複数回（実施例では２５５回）の在領域の最終判定結果の蓄積データの最古のデータを破棄し、今回の最終判定結果を追加して更新する。更に、図４４（ｂ）のように、在領域毎に蓄積回数を数え、蓄積回数で在領域の順位付けを行い、蓄積回数の一番多い在領域を１番とする。この時、この領域の特性は「いつも居る場所」と言って良い。蓄積回数の一番少ない在領域は４番とし、その特性は「いつも居ない場所」と言って良い。
【０１９２】
これにより、いつも人が居る場所、いつも人が居ない場所が判り、オンタイマーで運転を始めるとき、人が居なくても、在順位の一番高い場所に向けて風を送るとか、直接風が当たるのを回避したい場合に、今居る場所を除いた在順位の低い場所に向けて風を送るとかの運転が自動的に行え、煩わしさがない。
【０１９３】
次に、人検知の応用例について図４５〜図４７を用いて説明する。図４５は風向の変化シーケンスである。図４６は活動量の大きさの段階に基づく省エネ制御の例である。図４７は送風方向の例、（ａ）は左コーナー送風、（ｂ）は右コーナー送風、（ｃ）は正面送風、（ｄ）はワイド送風である。
【０１９４】
図４５では人検知結果を利用して、人の居る方向に風を向けるスポット空調的な運転と、部屋の広い範囲に風を送る部屋全体の空調運転を交互に繰返す制御をする。
【０１９５】
これは、外の非空調空間から部屋に入室した当初、集中的に冷風・温風に当たりたいと言うニーズに応えるためである。
【０１９６】
このとき、風を受ける時間が短く設定してあるので、風に当たる時間を延長したい場合は、空気調和機に向けて手を振るなどして、大きな動きをすることで前述の仮判定区間を省略した在領域の最終判定で、風に当たる時間を延長できる。これを逆に、風を受ける時間を長く設定してあると、もう風に十分当ったので、部屋全体の空調に戻って貰いたいと思っても、風から逃れようとして移動すると、移動を検知して風が追いかけてきて逃れられず、リモコンを操作して風向を変えるか、じっと我慢して時間が経過するのを待つだけになって、使い勝手が悪い。
【０１９７】
また、部屋の広い範囲に風を送る代わりに、人が居る方向以外の方向に風を向けるようにしても良い。この場合、人が居る方向以外の方向としては、人の居る在領域の隣で、前述の在順位が低い領域に風を向けると、隣の領域に向かう風の巻き込みや壁に当った風の反射などの柔らかな風を間接的に受け、風を直接受けない時でも快適性が持続される。
【０１９８】
図４６では活動量の大きさの段階の結果を利用して、活動量の大きさの段階に応じて自動的に省エネ運転することで、快適性と省エネのバランスの取れた運転をする制御である。
【０１９９】
これは、使用者が省エネモードでの運転を設定した場合、在室者の活動量の大きさの段階に応じて、室内設定温度，設定湿度を変更して省エネを図るものであり、暖房時は活動量の大きさの段階が大きいほど設定温度を低め（実施例では最大で２度下げ）に、冷房時は活動量の大きさの段階が小さいほど高め（実施例では最大で２度上げ）に変更して運転し、除湿時は活動量の大きさの段階が小さいほど設定湿度を高め（実施例では最大で１５％上げ）に変更して運転する。
【０２００】
これにより、暖房運転時は、活動量が多く人体の発熱量が多いほど、低めの室温にし、活動量が少なく人体の発熱量が少ないほど、低下させる室温の幅を小さくして省エネと快適性のバランスをとる。冷房運転時は、活動量が少なく人体の発熱量が少ないほど、高めの室温にし、活動量が多く人体の発熱量が多いほど、高める室温の幅を小さくして省エネと快適性のバランスをとる。除湿運転時は、活動量が少なく人体の発熱量が少ないほど、高めの湿度にし、活動量が多く人体の発熱量が多いほど、高める湿度の幅を小さくして省エネと快適性のバランスをとる。
【０２０１】
また、図２６のステップＳ６で、不在が続いた場合に行う、不在省エネ運転制御として、暖房時は最も大きい活動量の大きさの段階に応じた制御をし、冷房・除湿時は最も小さい活動量の大きさの段階に応じた制御を行うようにすると、在室者の比較的長い中座の時の待機空調として、省エネに適い、在室者が戻ってきた時には、待機空調から短時間で室内を快適空間に変えることができ、在室者の満足度が損なわれることが無い。
【０２０２】
実施例では、不在の時間（第２の所定時間）が２０分間続いた場合に、この不在省エネ運転制御を行うようにした。
【０２０３】
図４７は、在領域の最終判定結果に応じて、風向を変更する場合の室内機２を上から見た時の風向の例を示し、例えば、領域（１）に風向を向ける場合は図４７（ａ）のように左右風向板２９５を制御し、領域（２）は（ｂ）、領域（３）は（ｃ）、領域（１）＋（２）＋（３）は（ｄ）のように左右風向板２９５を制御する。
【０２０４】
なお、上記の説明の中で使用してきた在閾値，即決閾値１，２，活動量閾値１，２の値をリモコン５の特殊操作で変更できるように構成すると、より省エネ運転を志向したいとか、より快適性を重視したいとかの使用者の意向がある場合に、これらの閾値の値を変更することができ、使用者の意向に応じて制御の応答性を調節し、省エネ又は、満足感を高めることができる。
【０２０５】
また、この閾値を着脱可能な記憶装置に記憶し、閾値の変更を着脱可能な記憶装置の交換で行っても同様の効果がある。この場合は、閾値の変更にとどまらず、多様な環境に対応した制御の変更が可能になるのは言うまでも無い。
【０２０６】
このように、実施例の空気調和機は、前記活動量閾値を変更可能に構成する。
【０２０７】
これにより、例えば、この閾値を着脱可能な記憶装置、又は操作部から書換え可能な記憶装置に記憶し、着脱可能な記憶装置の交換、又は書換え可能な記憶装置の書換えにより前記閾値を変更する。こうすることで、より省エネ運転を志向したいとか、より快適性を重視したいとかの使用者の意向がある場合や、家庭の一般的な部屋に比べて、部屋の大小、在室者の多少、部屋の縦横比、家具の配置，使用時間の長短などが違って、空気調和機の使用形態が特殊になる場合に、該閾値の値を変更することができる。閾値の値を大きい方に変更すると、検知感度が鈍くなり、空気調和機の頻繁な運転変更が抑制され、閾値の値を小さい方に変更すると、検知感度が鋭くなり、空気調和機の運転変更の頻度が増加する。
【０２０８】
このため、空気調和機の設置環境や使用者の意向に応じて制御の応答性を調節し、省エネ又は、満足感を高める空気調和機を提供することができる。
【実施例２】
【０２０９】
次に、赤外線センサの数を増した実施例２について図４８〜図５０を用いて説明する。図４８は実施例２の赤外線検知装置の検知範囲図である。図４９は検知装置の検知領域区分図である。図５０は検知装置の在領域推定図、（ａ）は領域区分の模式図、（ｂ）はａとｂの差が大きい場合の在領域、（ｃ）はａとｂの差が小さい場合の在領域である。
【０２１０】
実施例２は図４８のように、実施例１の赤外線センサ４１０の数を２個から３個に増やしたもので、隣り合う左人検知センサ１４０ａと中人検知センサ１４０ｂ及び中人検知センサ１４０ｂと右人検知センサ１４０ｃの検知範囲が一部重複するようにし、両端の左人検知センサ１４０ａと右人検知センサ１４０ｃの検知範囲は重複しないように配置したものである。
【０２１１】
図４９は、この場合の検知領域の区分図であり、検知領域は実施例１の３領域から５領域に増加していて、人の居る位置をより細かく区分して検知することができる。
【０２１２】
１個又は２個の人検知センサ１４０ａ〜ｃのみが人を検知している場合の在領域の仮判定は実施例１と同様に行えば良い。
【０２１３】
図５０は、３個の人検知センサ１４０ａ〜ｃ全てが人を検知している場合の活動パルスの検出回数と在領域の関係を示したものである。説明を簡単化するため左人検知センサ１４０ａの活動パルスの検出回数をａ、中人検知センサ１４０ｂの活動パルスの検出回数をｂ、右人検知センサ１４０ｃの活動パルスの検出回数をｃとし、検知領域６１０ＡをＡ、検知領域６１０ＡＢをＡＢ、検知領域６１０ＢをＢ、検知領域６１０ＢＣをＢＣ、検知領域６１０ＣをＣと表す。
【０２１４】
ｓは実施例１で２個の人検知センサ１４０ａ，ｃが人を検知した場合に、在領域を重複領域である（３）に仮判定するか、全体領域である（１）＋（２）＋（３）に仮判定するかを、活動パルスの検出回数の差で区別する時の所定の差である。
【０２１５】
３個の人検知センサ１４０ａ〜ｃの２個ずつに、実施例１と同様の考え方で在領域を仮判定してゆくことにより、図５０（ｂ）のように、ａとｂの差が所定差ｓを超える場合は、ｂとｃの差が所定差ｓを超えた時に在領域をＡ＋Ｂ＋Ｃ＋ＡＢ＋ＢＣとし、ｂとｃの差が所定差ｓ以下の時に在領域をＡ＋Ｂ＋ＡＢ＋ＢＣとする。
【０２１６】
また、図５０（ｃ）のように、ａとｂの差が所定差ｓ以下の場合は、ｂとｃの差が所定差ｓを超えた時に在領域をＢ＋Ｃ＋ＡＢ＋ＢＣとし、ｂとｃの差が所定差ｓ以下の時に在領域をＡＢ＋ＢＣとする。
【０２１７】
このように、仮判定することにより、３個の人検知センサ１４０ａ〜ｃの全てが人を検知したときに、部屋全体に人が分散して居るか、左寄りに人が分散して居るか、右寄りに人が分散して居るか、中央部で分散しているかを区別することができる。
【０２１８】
このようにして、人の居る領域をより細分化して実施例１と同様に空気調和機を制御することができる。
【実施例３】
【０２１９】
次に、３個の赤外線センサの配置を換えた実施例３について図５１〜図５３を用いて説明する。図５１は実施例３の赤外線検知装置の検知領域模式図である。図５２は検知装置の検知領域区分図である。図５３は検知装置の在領域推定図、（ａ）は領域区分の模式図、（ｂ）はａとｂの差が大きい場合の在領域、（ｃ）はａとｂの差が小さい場合の在領域である。
【０２２０】
実施例３は図５１のように、実施例２の人検知センサ１４０ａ〜ｃの配置を変えたもので、隣り合う左人検知センサ１４０ａと中人検知センサ１４０ｂ及び中人検知センサ１４０ｂと右人検知センサ１４０ｃの検知範囲が一部重複するようにし、且つ、両端の左人検知センサ１４０ａと右人検知センサ１４０ｃの検知範囲も一部重複するようにし、更に、全ての人検知センサ１４０ａ〜ｃの検知範囲も一部重複するように配置したものである。また、中央の人検知センサ１４０ｂの中心軸の方向を両端にある左側人検知センサ１４０ａと右側人検知センサ１４０ｃの中心軸の方向より下向きにして、中央の人検知センサ１４０ｂで、より空気調和機に近い領域、風の行き易い中央部領域を重点的に検知できるようにしてある。
【０２２１】
図５２は、この場合の検知領域の区分図であり、検知領域は実施例２の５領域から７領域に増加していて、人の居る位置をより細かく区分して検知することができる。
【０２２２】
１個又は２個の人検知センサ１４０ａ〜ｃのみが人を検知している場合の在領域の仮判定は実施例１と同様に行えば良い。
【０２２３】
図５３は、３個の人検知センサ１４０ａ〜ｃ全てが人を検知している場合の活動パルスの検出回数と在領域の関係を示したものである。説明を簡単化するため実施例２と同様の略記を行い、検知領域６１０ＡＣをＡＣ、検知領域６１０ＡＢＣをＡＢＣと表す。
【０２２４】
３個の人検知センサ１４０ａ〜ｃの２個ずつに、実施例１と同様の考え方で在領域を仮判定してゆくことにより、図５３（ｂ）のように、ａとｂの差が所定差ｓを超える場合で、ｂとｃの差が所定差ｓを超えた場合及び、ｂとｃの差が所定差ｓ以下の場合でｃとａの差が所定差ｓを超えた時に在領域を全領域であるＡ＋Ｂ＋Ｃ＋ＡＢ＋ＢＣ＋ＡＣ＋ＡＢＣとする。
【０２２５】
また、ａとｂの差が所定差ｓを超える場合で、ｂとｃの差が所定差ｓ以下の場合に、ｃとａの差が所定差ｓ以下の時に在領域をＡ＋Ｂ＋ＡＢ＋ＢＣ＋ＡＣ＋ＡＢＣとする。
【０２２６】
図５３（ｃ）のように、ａとｂの差が所定差ｓ以下の場合で、ｂとｃの差が所定差ｓを超えた場合は、ｃとａの差が所定差ｓを超えた時に在領域を全領域であるＡ＋Ｂ＋Ｃ＋ＡＢ＋ＢＣ＋ＡＣ＋ＡＢＣとする。
【０２２７】
また、ａとｂの差が所定差ｓ以下の場合で、ｂとｃの差が所定差ｓを超えた場合に、ｃとａの差が所定差ｓ以下の時に在領域をＢ＋Ｃ＋ＡＢ＋ＢＣ＋ＡＣ＋ＡＢＣとする。
【０２２８】
また、ａとｂの差が所定差ｓ以下の場合で、ｂとｃの差が所定差ｓ以下の場合は、ｃとａの差が所定差ｓを超えた時に在領域をＡ＋Ｃ＋ＡＢ＋ＢＣ＋ＡＣ＋ＡＢＣとする。
【０２２９】
また、ａとｂの差が所定差ｓ以下の場合で、ｂとｃの差が所定差ｓ以下の場合に、ｃとａの差が所定差ｓ以下の時に在領域をＡＢ＋ＢＣ＋ＡＣ＋ＡＢＣとする。
【０２３０】
このように、仮判定することにより、３個の人検知センサ１４０ａ〜ｃ全てが人を検知したときに、部屋全体に分散して人が居るか、左寄りに分散して人が居るか、右寄りに分散して人が居るか、遠方に分散して人が居るか、中央部に分散して人が居るかなどを大まかに区別することができる。
【０２３１】
このようにして、人の居る領域をより細分化して実施例１と同様に空気調和機を制御することができる。
【０２３２】
次に、本発明の異なった形状の空気調和機への適用について図５４を用いて説明する。図５４は縦型空気調和機概略図である。
【０２３３】
上記実施例の説明は、横流ファンを使用した壁掛形の空気調和機を例にとったが、本発明はこれに限定されるものではなく、左右風向板，上下風向板を備えた空気調和機であれば、送風ファンは横流ファンに限らずターボファン，シロッコファン，プロペラファンなどでも良く、形態も壁掛け型に限るものではない。すなわち、天井据付型，床置き型，窓据付型等の形態に拘らず適用できるものであり、左右風向板，上下風向板のいずれか又は両方で赤外線センサの視野を部分的に遮蔽して、人検知動作を行うことで在室者の有無と在室者の位置を推定することができる。
【０２３４】
この一例として、横流ファンを縦方向に設置した図５４に示すような空気調和機にも本発明を適用でき、この場合、左右方向の検知を左右風向板の位置を変えて行い、遠近方向の検知を上下に配置した赤外線センサで行うなどの工夫を加えることで同様の効果を実現することができる。
【０２３５】
以上説明したように、請求項１記載の空気調和機によれば、空気吸込み口及び空気吹出し口を有する筐体と、前記筐体内に配置された熱交換器と、室内空気を前記空気吸込み口より吸込み、前記熱交換器を通してから前記空気吹出し口より吹出す送風ファンと、前記送風ファンの吹出し風路に設けた左右風向板と、上下風向板と、赤外線センサを有し、室内を複数の領域に区分して在室者の有無を推定する赤外線検知装置と、を備え、
人の在否と在領域を判定する判定区間に所定の複数の仮判定区間を定め、
前記仮判定区間の赤外線センサの出力に応じて、前記仮判定区間毎に、人の在否と在領域を仮判定し、前記所定の複数の仮判定の結果に重み付けし、その重み付けされた結果を基に、人の在否と在領域を最終判定する。
【０２３６】
これにより、赤外線センサの出力に基づく人検知センサのデジタル出力信号に応じて在領域を最終判定して、在領域に応じて室内を空気調和する。このとき、判定区間を長く取って、室内の長期的な変化を検知するので、短期的な変化に惑されての誤動作が無くなる。また、判定区間を複数の仮判定区間に分け、仮判定区間毎に室内の状況を把握するので、室内の情報を満遍なく捉えることで、情報の偏りが無く、情報を正確に捉えることができる。
【０２３７】
また、仮判定区間ごとの仮判定結果に時系列的な重みをつけて、人の居る領域を最終判定するので、現在、人の居る場所の傾向を確実の捉えることができると共に、前回の最終判定から今回の最終判定までの間に少なくとも一回の仮判定区間が設けられているので、空気調和機の制御が間をおいて穏やかに変わり、在室者を不快にすることが無い。
【０２３８】
このように、確実な判定ができる十分な判定区間と、室内の快適性を損なわない、穏やかな変化を確保できる制御間隔とが両立すると共に、人の移動の傾向も確実に捉えるようにしたので、人の新しい居場所を中心とした空気調和運転に自然な感じで移ることができる。
【０２３９】
このため、在領域変化の傾向を捉え、安定的に、且つ、確実に在領域を判定し、室内を適正に制御する空気調和機を得ることができる。
【０２４０】
また、請求項２記載の空気調和機によれば、前記重み付けされた結果と前回の最終判定結果を基に、人の在否と在領域を最終判定する。
【０２４１】
これにより、各仮判定区間毎の仮判定結果に加えて、前回の最終判定結果も考慮して今回の最終判定を行うので、確実な判定と、前回の制御からの急変が回避された穏やかに変化する制御で、室内では安定した空調が行われ続け、室内の快適性が維持される。
【０２４２】
このため、穏やかに変化する制御で、室内の快適性を維持し続ける空気調和機を得ることができる。
【０２４３】
また、請求項３記載の空気調和機によれば、前記複数の領域の数よりも少ない数の複数の前記赤外線センサを備え、前記領域は前記複数の赤外線センサの検知区域の和，排他和，差、又は積で区分される領域である。
【０２４４】
これにより、各領域が１又は複数の人検知センサの視野（検知区域）に捉えられ、各領域の人の動きに反応して、その領域の境界の形成に関係する検知区域を持つ赤外線センサの出力が変化する。このように、人の動きに反応して赤外線センサの出力が変化し、この赤外線センサの出力の変化を捉えて、各人検知センサから活動中を示すパルスが出力されるので、この活動パルスの検出回数を求め、解析することで、室内の人の在否と在領域を決めることができる。
【０２４５】
この時、図１７の（１）又は、（２）に人が居る場合は、唯一の赤外線センサが反応するので、その赤外線センサの検知区域から他の赤外線センサの検知区域を除外した領域である（１）又は、（２）が人の居る領域となる。
【０２４６】
図１７の（３）の重複領域に人が居る場合は、同一人の動きを、両方の赤外線センサが検知するので、赤外線センサはほぼ同じ反応を示し、両方の人検知センサが出力する活動パルスの検出回数もほぼ同じとなるので、両人検知センサの活動パルスの検出回数の差が所定の差未満のときは（３）に人が居ると判定できる。
【０２４７】
図１７の（１）と（３），（１）と（２），（２）と（３）又は、（１）と（２）と（３）に人が居る場合は、両方の赤外線センサが検知するが、人の動きの量は、個人々で異なるため、複数の別々の人の動きを検知した結果は当然のことながら違ってきて、両方の人検知センサが出力する活動パルスの検出回数の差は大きくなる。従って、両人検知センサの活動パルスの検出回数の差が前述の所定の差以上のときは（１）＋（２）＋（３）に人が居ると判定する。
【０２４８】
また、この人の不在と存在を区別する検出回数を適切に定めて在閾値とすることで、各領域での在不在を区別することができる。
【０２４９】
このため、在の仮判定レベルを超える信号を出力した赤外線センサの組合せに応じて在領域を適正に選定する空気調和機を得ることができる。
【０２５０】
また、請求項４記載の空気調和機によれば、前記複数の仮判定の結果に対する重み付けは時系列的に近い回ほど大きくし、前記前回の最終判定結果に対する重み付けは今回最初の仮判定結果に対する重み付けより大きく、今回最後の仮判定結果に対する重み付けより小さくする。
【０２５１】
これにより、現在から一番近い仮判定結果が最も重視され、単純に人が移動し、新しい場所に居続ける場合は、今回か次回の判定で新しい場所が在領域と判定され、新しい場所を中心とした空気調和運転が行われる。しかし、一時的に新しい場所に移動したが、直ぐにもとの場所に戻ったような場合は、元の場所での前回の最終判定結果や、複数の仮判定結果が積算されて、元の場所に優位な最終判定を与えるので、元の場所を中心とした空調運転が継続される。
【０２５２】
このため、在領域変化の傾向を確実に捉え、適切に在領域を判定し、室内を制御する空気調和機を得ることができる。
【０２５３】
また、請求項５記載の空気調和機によれば、前記複数の仮判定結果に対する重み付けを、前記仮判定区間を追う毎に所定値増加させる。
【０２５４】
これにより、製品の開発中の検討時点で、所定値を変更したことによる、様々な場面における影響を推測しやすくなり、開発期間を短縮できる。また、製品の特殊な使用場面で、この一台だけの所定値を変更する必要に迫られた時に、変更の影響を予測しやすいので、好都合である。
【０２５５】
このため、在領域変化の傾向を適切に判定に反映させ、室内を適正に制御する空気調和機を得ることができる。
【０２５６】
また、請求項６記載の空気調和機によれば、前記赤外線センサの出力に基づいてデジタル出力される活動パルスを一定の周期で読込んで、所定時間内の検出回数を計数し、この検出回数と、領域に応じて定めた活動量閾値と、の大小によって、前記在領域の人の活動量の大きさを段階的に区分し、前記検出回数に応じて、前記仮判定区間毎に、人の活動量の大きさの段階を仮判定し、前記所定の複数の仮判定結果を基に、今回の人の活動量の大きさの段階を最終判定する。
【０２５７】
これにより、活動量の大小に応じて空気調和機の能力を加減することで、省エネ運転をすることができる。また、確実な判定と、人の活動量の大きさの段階に穏やかに応じた制御で、室内の快適性を維持する。
【０２５８】
このため、在室者の活動量に応じて、空気調和機を制御し、快適性向上や、省エネ運転などを実現する空気調和機を得ることができる。
【０２５９】
また、請求項７記載の空気調和機によれば、前記人の在否と在領域の最終判定結果と、前記在領域の人の活動量の大きさの段階の最終判定結果に応じて、圧縮機，冷媒回路制御装置，送風ファン，左右風向板，上下風向板または表示装置の少なくとも１つ以上を制御する。
【０２６０】
これにより、在室者の活動量の大小に応じて冷房・暖房などの能力を加減したり、除湿の湿度設定を変更したり、在室者が居ない状態が所定時間続いた時に、温度設定を省エネとなるように変更したり、更に不在が続いた時に空気調和機を停止したり、在領域を重点的にスポット空調したり、在領域を避けて送風したり、空調の能力をアップしたり、送風の強さを加減したりと言った空気調和機を普通に使う上で行われる制御を人の手を煩わすことなく行うことができ、また、これらの運転状態の変化に応じて自動的に表示を変更して報せるなど、操作性，利便性に優れた空気調和機になる。
【０２６１】
このため、在室者の活動量に応じて、空気調和機を制御し、快適運転や、省エネ運転を行う空気調和機を得ることができる。
【０２６２】
また、請求項８記載の空気調和機によれば、前記活動量閾値を変更可能に構成する。
【０２６３】
これにより、例えば、この閾値を着脱可能な記憶装置、又は操作部から書換え可能な記憶装置に記憶し、着脱可能な記憶装置の交換、又は書換え可能な記憶装置の書換えにより前記閾値を変更する。こうすることで、より省エネ運転を志向したいとか、より快適性を重視したいとかの使用者の意向がある場合や、家庭の一般的な部屋に比べて、部屋の大小，在室者の多少，部屋の縦横比，家具の配置，使用時間の長短などが違って、空気調和機の使用形態が特殊になる場合に、該閾値の値を変更することができる。閾値の値を大きい方に変更すると、検知感度が鈍くなり、空気調和機の頻繁な運転変更が抑制され、閾値の値を小さい方に変更すると、検知感度が鋭くなり、空気調和機の運転変更の頻度が増加する。
【０２６４】
このため、空気調和機の設置環境や使用者の意向に応じて制御の応答性を調節し、省エネ又は、満足感を高める空気調和機を得ることができる。
【図面の簡単な説明】
【０２６５】
【図１】実施例の空気調和機の構成図。
【図２】同空気調和機の室内機の断面図。
【図３】同空気調和機の室外機の断面図。
【図４】同空気調和機の冷媒回路図。
【図５】同室内機の冷房・除湿運転時の断面図。
【図６】同室内機の暖房運転時の断面図。
【図７】同室内機の外観斜視図。
【図８】同室内機の上下風向板を開いた外観斜視図。
【図９】同室内機に内蔵された赤外線検知装置の構成図。
【図１０】同検知装置のフレネルレンズ配置図。
【図１１】同検知装置の検知範囲図。
【図１２】同検知装置の外観図。
【図１３】同検知装置による検知区域図。
【図１４】同検知装置の回路構成図。
【図１５】室内に人が入室する時の動きを示す図。
【図１６】図１５の場合の人検知センサの波形出力。
【図１７】人検知センサの検知領域区分図。
【図１８】領域の説明図。
【図１９】同上下風向板で検知領域を区分する説明図。
【図２０】同上下風向板による遠領域検知状態図。
【図２１】同上下風向板による中領域検知状態図。
【図２２】同上下風向板による近領域検知状態図。
【図２３】鉛直面で見た上下風向板による遠近方向の検知領域区分図。
【図２４】同上下風向板による床面の検知領域区分図。
【図２５】左右の赤外線センサと上下風向板による検知領域区分図。
【図２６】検知手順要部フローチャート。
【図２７】入力信号カウントタイムチャート。
【図２８】在領域仮判定法。
【図２９】人検知センサの活動パルスの検出回数と在領域の対応図Ａ。
【図３０】在領域の仮判定を示す表。
【図３１】両方の人検知センサが在の場合の領域選択説明図。
【図３２】人検知センサの活動パルスの検出回数と在領域の対応図Ｂ。
【図３３】２段階推定法説明図。
【図３４】活動量の大きさの段階の仮判定法。
【図３５】活動量の大きさの段階の仮判定結果。
【図３６】即決判定法。
【図３７】即決判定結果纏め図。
【図３８】繰返し制御説明図。
【図３９】在領域判定例。
【図４０】活動量の大きさの段階判定例。
【図４１】在領域・活動量の大きさの段階判定結果の例。
【図４２】遠中近判定法。
【図４３】室内機の冷房・除湿運転時の上下風向板部拡大断面図。
【図４４】過去の在領域履歴の判定法。
【図４５】風向の変化シーケンス。
【図４６】活動量の大きさの段階に基づく省エネ制御の例。
【図４７】送風方向の例。
【図４８】実施例２の赤外線検知装置の検知範囲図。
【図４９】同検知装置の検知領域区分図。
【図５０】同検知装置の在領域推定図。
【図５１】実施例３の赤外線検知装置の検知領域模式図。
【図５２】同検知装置の検知領域区分図。
【図５３】同検知装置の在領域推定図。
【図５４】縦型空気調和機概略図。
【符号の説明】
【０２６６】
１  空気調和機
２  室内機
５  リモコン
６  室外機
８  接続配管
１０  制御装置
１４  赤外線検知装置
２０  筐体
２１  筐体ベース
２３  化粧枠
２５  前面パネル
２７  空気吸込み口
２９  空気吹出し口
３３  室内熱交換器
３４  除湿絞り装置
３５  露受皿
３７  ドレン配管
６１  ベース
６２  外箱
６３  室外送風機
７２  冷媒流路切換弁
７３  室外熱交換器
７４  冷暖房絞り装置
７５  圧縮機
１３０  増幅器
１３１  コンパレータ
１３２  演算制御部
１４０  人検知センサ
１４０ａ  左人検知センサ
１４０ｂ  中人検知センサ
１４０ｃ  右人検知センサ
１９０  上下風向板制御部
１９１  上側上下風向板モータ
１９２  下側上下風向板モータ
１９４  左右風向板制御部
１９５  左右風向板モータ
２３０，２３０′  空気吸込み部
２３１，２３１′  フィルタ
２５１  可動パネル
２９０  吹出し風路
２９０ａ  吹出し風路上壁
２９０ｂ  吹出し風路下壁
２９０ｅ  吹出し風路上方拡大部
２９１  上側上下風向板
２９２  下側上下風向板
２９５  左右風向板
３１１  室内送風機
３３２  除湿加熱器
３３３  除湿冷却器
３９６  受光部
３９７  表示装置
４１０  赤外線センサ
４１０ａ〜ｃ  赤外線センサａ〜ｃ
４１１  受光面
４１２  中心軸
４１５  台座
４１６  基板
４１７  フレネルレンズ
４９１ｉ〜ｍ  上側上下風向板位置ｉ〜ｍ
５１０ａ〜ｃ  検知範囲ａ〜ｃ
５９１ｊ〜ｍ  検知範囲ｊ〜ｍ
６１０Ａ  検知領域Ａ（（１））
６１０ＡＢ  検知領域ＡＢ
６１０ＡＢＣ  検知領域ＡＢＣ
６１０ＡＣ  検知領域ＡＣ（（３））
６１０Ｂ  検知領域Ｂ
６１０ＢＣ  検知領域ＢＣ
６１０Ｃ  検知領域Ｃ（（２））
６３５  送風機カバー
６９１Ｊ〜Ｍ  検知領域Ｊ〜Ｍ
７１０ＪＡ〜ＭＣ  交差検知領域ＪＡ〜ＭＣ
９０２  室
９０７  人
Ａ〜Ｃ  領域
Ｐ〜Ｓ  人位置
【図１】
2010091143.tif 000003
【図２】
2010091143.tif 000004
【図３】
2010091143.tif 000005
【図４】
2010091143.tif 000006
【図５】
2010091143.tif 000007
【図６】
2010091143.tif 000008
【図７】
2010091143.tif 000009
【図８】
2010091143.tif 000010
【図９】
2010091143.tif 000011
【図１０】
2010091143.tif 000012
【図１１】
2010091143.tif 000013
【図１２】
2010091143.tif 000014
【図１３】
2010091143.tif 000015
【図１４】
2010091143.tif 000016
【図１５】
2010091143.tif 000017
【図１６】
2010091143.tif 000018
【図１７】
2010091143.tif 000019
【図１８】
2010091143.tif 000020
【図１９】
2010091143.tif 000021
【図２０】
2010091143.tif 000022
【図２１】
2010091143.tif 000023
【図２２】
2010091143.tif 000024
【図２３】
2010091143.tif 000025
【図２４】
2010091143.tif 000026
【図２５】
2010091143.tif 000027
【図２６】
2010091143.tif 000028
【図２７】
2010091143.tif 000029
【図２８】
2010091143.tif 000030
【図２９】
2010091143.tif 000031
【図３０】
2010091143.tif 000032
【図３１】
2010091143.tif 000033
【図３２】
2010091143.tif 000034
【図３３】
2010091143.tif 000035
【図３４】
2010091143.tif 000036
【図３５】
2010091143.tif 000037
【図３６】
2010091143.tif 000038
【図３７】
2010091143.tif 000039
【図３８】
2010091143.tif 000040
【図３９】
2010091143.tif 000041
【図４０】
2010091143.tif 000042
【図４１】
2010091143.tif 000043
【図４２】
2010091143.tif 000044
【図４３】
2010091143.tif 000045
【図４４】
2010091143.tif 000046
【図４５】
2010091143.tif 000047
【図４６】
2010091143.tif 000048
【図４７】
2010091143.tif 000049
【図４８】
2010091143.tif 000050
【図４９】
2010091143.tif 000051
【図５０】
2010091143.tif 000052
【図５１】
2010091143.tif 000053
【図５２】
2010091143.tif 000054
【図５３】
2010091143.tif 000055
【図５４】
2010091143.tif 000056